(57)【要約】【課題】撮影対象者によるプライバシー保護の要求を撮影画像に反映させることが可能な、画像処理装置、画像処理システム、画像処理方法、及びプログラムを提供する。【解決手段】撮影画像に含まれる人物画像に対応する撮影対象者の位置情報を取得する撮影対象者位置取得部と、前記撮影対象者の位置情報を、通信端末から送信される前記通信端末の位置情報と前記撮影対象者の位置情報とを比較する情報処理装置に送信する送信部と、前記情報処理装置から受信される前記比較の結果に応じた情報に基づいて、前記人物画像の保護処理を行うか否かを判断する判断部と、を備える、画像処理装置。【選択図】図３
2014078910.tif 000002
【特許請求の範囲】
【請求項１】
撮影画像に含まれる人物画像に対応する撮影対象者の位置情報を取得する撮影対象者位置取得部と、
前記撮影対象者の位置情報を、通信端末から送信される前記通信端末の位置情報と前記撮影対象者の位置情報とを比較する情報処理装置に送信する送信部と、
前記情報処理装置から受信される前記比較の結果に応じた情報に基づいて、前記人物画像の保護処理を行うか否かを判断する判断部と、
を備える、画像処理装置。
【請求項２】
前記通信端末は、前記撮影対象者が所持する通信端末である、請求項１に記載の画像処理装置。
【請求項３】
前記比較の結果に応じた情報は、前記人物画像の保護処理を行うか否かを指示する情報を含み、
前記判断部は、前記人物画像の保護処理を行うことを指示する情報が含まれる場合に、前記人物画像の保護処理を行うことを判断する、請求項２に記載の画像処理装置。
【請求項４】
前記画像処理装置は、前記人物画像の保護処理として前記人物画像に対してマスク処理を施すマスク部をさらに備える、請求項３に記載の画像処理装置。
【請求項５】
前記撮影対象者位置取得部は、前記画像処理装置の位置情報に基づいて前記撮影対象者の位置情報を取得する、請求項３に記載の画像処理装置。
【請求項６】
前記情報処理装置は、前記人物画像の解像度に基づいて前記人物画像に対する保護処理の要否を判断する、請求項３に記載の画像処理装置。
【請求項７】
前記撮影画像は、前記画像処理装置による撮影前の画像情報である、請求項３に記載の画像処理装置。
【請求項８】
前記撮影画像は、前記画像処理装置による撮影後の画像情報である、請求項３に記載の画像処理装置。
【請求項９】
通信端末から受信される前記通信端末の位置情報を記憶する記憶部と、
画像処理装置から撮影画像に含まれる人物画像に対応する撮影対象者の位置情報を受信する受信部と、
前記記憶部に記憶された前記通信端末の位置情報と、前記撮影対象者の位置情報とを比較する比較部と、
前記比較部による前記比較の結果に応じて前記人物画像の保護処理を行うか否かを指示する情報を前記画像処理装置に送信する送信部と、
を備える、情報処理装置。
【請求項１０】
前記情報処理装置は、前記人物画像の保護処理に関する条件である保護処理条件を前記通信端末の環境状態が満たすか否かを判断する条件判断部をさらに備え、
前記送信部は、前記比較部による前記比較の結果および前記条件判断部による前記判断の結果に応じて前記人物画像の保護処理を行うか否かを指示する情報を前記画像処理装置に送信する、請求項９に記載の情報処理装置。
【請求項１１】
前記環境状態は、前記通信端末により観測されるか、または前記通信端末により外部の装置から取得される、請求項１０に記載の情報処理装置。
【請求項１２】
前記保護処理条件は、前記人物画像の保護処理を行う日時に関する条件である、請求項１１に記載の情報処理装置。
【請求項１３】
前記保護処理条件は、ソーシャル・ネットワーキング・サービスにおける前記画像処理装置の使用者と前記通信端末の所持者との関係性に関する登録内容に関する条件である、請求項１１に記載の情報処理装置。
【請求項１４】
前記受信部は、前記保護処理条件を前記通信端末からさらに受信する、請求項１１に記載の情報処理装置。
【請求項１５】
位置情報を取得する位置情報取得部と、
前記位置情報取得部により取得された位置情報を情報処理装置へ送信する送信部と、
を備える、通信端末と、
前記通信端末から受信される前記通信端末の位置情報を記憶する記憶部と、
画像処理装置から撮影画像に含まれる人物画像に対応する撮影対象者の位置情報を受信する受信部と、
前記記憶部に記憶された前記通信端末の位置情報と、前記撮影対象者の位置情報とを比較する比較部と、
前記比較部による前記比較の結果に応じて前記人物画像の保護処理を行うか否かを指示する情報を前記画像処理装置に送信する送信部と、
を備える、情報処理装置と、
前記撮影対象者の位置情報を取得する撮影対象者位置取得部と、
前記撮影対象者の位置情報を前記情報処理装置に送信する送信部と、
前記情報処理装置から受信される前記比較の結果に応じた情報に基づいて、前記人物画像の保護処理を行うか否かを判断する判断部と、
を備える、画像処理装置と、
を備える、画像処理システム。
【請求項１６】
撮影画像に含まれる人物画像に対応する撮影対象者の位置情報を取得するステップと、
前記撮影対象者の位置情報を、通信端末から送信される前記通信端末の位置情報と前記撮影対象者の位置情報とを比較する情報処理装置に送信するステップと、
前記情報処理装置から受信される前記比較の結果に応じた情報に基づいて、前記人物画像の保護処理を行うか否かを判断するステップと、
を備える、画像処理方法。
【請求項１７】
通信端末から受信される前記通信端末の位置情報を記憶するステップと、
画像処理装置から撮影画像に含まれる人物画像に対応する撮影対象者の位置情報を受信するステップと、
記憶された前記通信端末の位置情報と、前記撮影対象者の位置情報とを比較するステップと、
前記比較の結果に応じて前記人物画像の保護処理を行うか否かを指示する情報を前記画像処理装置に送信するステップと、
を備える、情報処理方法。
【請求項１８】
コンピュータを、
撮影画像に含まれる人物画像に対応する撮影対象者の位置情報を取得する撮影対象者位置取得部と、
前記撮影対象者の位置情報を、通信端末から送信される前記通信端末の位置情報と前記撮影対象者の位置情報とを比較する情報処理装置に送信する送信部と、
前記情報処理装置から受信される前記比較の結果に応じた情報に基づいて、前記人物画像の保護処理を行うか否かを判断する判断部、
として機能させるための、プログラム。
【請求項１９】
コンピュータを、
通信端末から受信される前記通信端末の位置情報を記憶する記憶部と、
画像処理装置から撮影画像に含まれる人物画像に対応する撮影対象者の位置情報を受信する受信部と、
前記記憶部に記憶された前記通信端末の位置情報と、前記撮影対象者の位置情報とを比較する比較部と、
前記比較部による前記比較の結果に応じて前記人物画像の保護処理を行うか否かを指示する情報を前記画像処理装置に送信する送信部、
として機能させるための、プログラム。
【発明の詳細な説明】
【技術分野】
【０００１】
本開示は、画像処理装置、画像処理システム、画像処理方法、及びプログラムに関する。
【背景技術】
【０００２】
従来、一般の消費者向けのデジタルスチルカメラやデジタルビデオカメラが多数開発されており、個人が撮影した静止画像や動画像を家族や友人と一緒に閲覧することが可能になっている。また、ＳＮＳ（Ｓｏｃｉａｌ  Ｎｅｔｗｏｒｋｉｎｇ  Ｓｅｒｖｉｃｅ）やブログなどの情報共有サービスが多数構築されており、個人が撮影した静止画像や動画像を不特定多数の人々に対して公開する機会が増えている。このような背景から、昨今では、撮影画像に関するプライバシーの保護が求められている。
【０００３】
例えば、特許文献１では、撮影画像の顔領域に対して加工処理を施すことにより加工画像を生成する技術が開示されている。また、特許文献１では、加工画像と、加工処理の内容を特定する復元用情報と、加工画像を復元する権限を管理する権限管理情報と、を互いに関連づけて画像ファイルに格納する技術も開示されている。
【先行技術文献】
【特許文献】
【０００４】
【特許文献１】特開２００９−０３３７３８号公報
【発明の概要】
【発明が解決しようとする課題】
【０００５】
しかしながら、従来技術では、撮影対象者によるプライバシー保護の要求を撮影画像に反映させることができなかった。例えば、撮影対象者は、撮影されることを厭う場合であっても、撮影自体を制限することができなかったり、撮影対象者を特定困難な形式で記録させるように制御することができなかった。
【０００６】
そこで、本開示では、撮影対象者によるプライバシー保護の要求を撮影画像に反映させることが可能な、新規かつ改良された画像処理装置、画像処理システム、画像処理方法、及びプログラムを提供することにある。
【課題を解決するための手段】
【０００７】
上記課題を解決するために、本開示のある観点によれば、撮影画像に含まれる人物画像に対応する撮影対象者の位置情報を取得する撮影対象者位置取得部と、前記撮影対象者の位置情報を、通信端末から送信される前記通信端末の位置情報と前記撮影対象者の位置情報とを比較する情報処理装置に送信する送信部と、前記情報処理装置から受信される前記比較の結果に応じた情報に基づいて、前記人物画像の保護処理を行うか否かを判断する判断部と、を備える、画像処理装置が提供される。
【０００８】
また、上記課題を解決するために、本開示の別の観点によれば、通信端末から受信される前記通信端末の位置情報を記憶する記憶部と、画像処理装置から撮影画像に含まれる人物画像に対応する撮影対象者の位置情報を受信する受信部と、前記記憶部に記憶された前記通信端末の位置情報と、前記撮影対象者の位置情報とを比較する比較部と、前記比較部による前記比較の結果に応じて前記人物画像の保護処理を行うか否かを指示する情報を前記画像処理装置に送信する送信部と、を備える、情報処理装置が提供される。
【０００９】
また、上記課題を解決するために、本開示の別の観点によれば、位置情報を取得する位置情報取得部と、前記位置情報取得部により取得された位置情報を情報処理装置へ送信する送信部と、を備える、通信端末と、前記通信端末から受信される前記通信端末の位置情報を記憶する記憶部と、画像処理装置から撮影画像に含まれる人物画像に対応する撮影対象者の位置情報を受信する受信部と、前記記憶部に記憶された前記通信端末の位置情報と、前記撮影対象者の位置情報とを比較する比較部と、前記比較部による前記比較の結果に応じて前記人物画像の保護処理を行うか否かを指示する情報を前記画像処理装置に送信する送信部と、を備える、情報処理装置と、前記撮影対象者の位置情報を取得する撮影対象者位置取得部と、前記撮影対象者の位置情報を前記情報処理装置に送信する送信部と、前記情報処理装置から受信される前記比較の結果に応じた情報に基づいて、前記人物画像の保護処理を行うか否かを判断する判断部と、を備える、画像処理装置と、を備える、画像処理システムが提供される。
【００１０】
また、上記課題を解決するために、本開示の別の観点によれば、撮影画像に含まれる人物画像に対応する撮影対象者の位置情報を取得するステップと、前記撮影対象者の位置情報を、通信端末から送信される前記通信端末の位置情報と前記撮影対象者の位置情報とを比較する情報処理装置に送信するステップと、前記情報処理装置から受信される前記比較の結果に応じた情報に基づいて、前記人物画像の保護処理を行うか否かを判断するステップと、を備える、画像処理方法が提供される。
【００１１】
また、上記課題を解決するために、本開示の別の観点によれば、通信端末から受信される前記通信端末の位置情報を記憶するステップと、画像処理装置から撮影画像に含まれる人物画像に対応する撮影対象者の位置情報を受信するステップと、記憶された前記通信端末の位置情報と、前記撮影対象者の位置情報とを比較するステップと、前記比較の結果に応じて前記人物画像の保護処理を行うか否かを指示する情報を前記画像処理装置に送信するステップと、を備える、情報処理方法が提供される。
【００１２】
また、上記課題を解決するために、本開示の別の観点によれば、コンピュータを、撮影画像に含まれる人物画像に対応する撮影対象者の位置情報を取得する撮影対象者位置取得部と、前記撮影対象者の位置情報を、通信端末から送信される前記通信端末の位置情報と前記撮影対象者の位置情報とを比較する情報処理装置に送信する送信部と、前記情報処理装置から受信される前記比較の結果に応じた情報に基づいて、前記人物画像の保護処理を行うか否かを判断する判断部、として機能させるための、プログラムが提供される。
【００１３】
また、上記課題を解決するために、本開示の別の観点によれば、コンピュータを、通信端末から受信される前記通信端末の位置情報を記憶する記憶部と、画像処理装置から撮影画像に含まれる人物画像に対応する撮影対象者の位置情報を受信する受信部と、前記記憶部に記憶された前記通信端末の位置情報と、前記撮影対象者の位置情報とを比較する比較部と、前記比較部による前記比較の結果に応じて前記人物画像の保護処理を行うか否かを指示する情報を前記画像処理装置に送信する送信部、として機能させるための、プログラムが提供される。
【発明の効果】
【００１４】
以上説明したように本開示によれば、撮影対象者によるプライバシー保護の要求を撮影画像に反映させることができる。
【図面の簡単な説明】
【００１５】
【図１】本開示の各実施形態による画像処理システムの構成を示した説明図である。
【図２】本開示の各実施形態による撮影可否管理サーバのハードウェア構成を示した説明図である。
【図３】本開示の各実施形態の概略的な動作について示した説明図である。
【図４】本開示の第１の実施形態による通信端末および撮影可否管理サーバの構成を示した機能ブロック図である。
【図５】同実施形態による位置・環境状態記憶部の構成の一例を示した説明図である。
【図６】同実施形態による撮影可否条件記憶部の構成の一例を示した説明図である。
【図７】同実施形態による撮影端末の構成を示した機能ブロック図である。
【図８】同実施形態における撮影対象者位置の推定方法を示した説明図である。
【図９】同実施形態における視線方向の特定方法を示した説明図である。
【図１０】同実施形態における撮影者から撮影対象者位置までの距離推定方法の第１の例を示した説明図である。
【図１１】同実施形態における撮影者から撮影対象者位置までの距離推定方法の第２の例を示した説明図である。
【図１２】同実施形態における撮影者から撮影対象者位置までの距離推定方法の第３の例を示した説明図である。
【図１３】同実施形態による撮影前の動作を示したシーケンス図である。
【図１４】同実施形態による撮影時の動作を示したシーケンス図である。
【図１５】同実施形態による撮影処理の第１の動作例を詳細に示したフローチャートである。
【図１６】同実施形態による撮影処理の第２の動作例を詳細に示したフローチャートである。
【図１７】本開示の第２の実施形態による通信端末および撮影可否管理サーバの構成を示した機能ブロック図である。
【図１８】同実施形態による位置・撮影可否記憶部の構成の一例を示した説明図である。
【図１９】同実施形態による撮影前の動作を示したシーケンス図である。
【図２０】同実施形態による撮影時の動作を示したシーケンス図である。
【図２１】本開示の第３の実施形態による撮影時の動作を示したシーケンス図である。
【図２２】本開示の第４の実施形態による撮影時の動作を示したシーケンス図である。
【図２３】同実施形態による撮影許可依頼画面の一例を示した説明図である。
【図２４】同実施形態による撮影許可画面の一例を示した説明図である。
【図２５】同実施形態による撮影許可依頼結果画面の一例を示した説明図である。
【図２６】本開示の第５の実施形態による撮影前の動作を示したシーケンス図である。
【図２７】同実施形態による予定表登録画面の一例を示した説明図である。
【図２８】本開示の第６の実施形態による画像処理システムの構成を示した説明図である。
【図２９】同実施形態による予定表管理サーバの構成の一例を示した説明図である。
【図３０】同実施形態による撮影前の動作を示したシーケンス図である。
【図３１】同実施形態による撮影時の動作を示したシーケンス図である。
【図３２】本開示の第７の実施形態による画像処理システムの構成を示した説明図である。
【図３３】同実施形態によるＳＮＳサーバの構成の一例を示した説明図である。
【図３４】同実施形態による撮影前の動作を示したシーケンス図である。
【図３５】同実施形態による撮影時の動作を示したシーケンス図である。
【図３６】本開示の第８の実施形態による画像処理システムの構成を示した説明図である。
【図３７】同実施形態による位置共有サーバの構成の一例を示した説明図である。
【図３８】同実施形態による撮影前の動作を示したシーケンス図である。
【図３９】本開示の第９の実施形態による画像処理システムの構成を示した説明図である。
【図４０】同実施形態による撮影前の動作を示したシーケンス図である。
【図４１】本開示の第１０の実施形態による撮影可否管理サーバの構成を示した機能ブロック図である。
【図４２】同実施形態による画像ＩＤ記憶部の構成の一例を示した説明図である。
【図４３】同実施形態による撮影時の動作を示したシーケンス図である。
【図４４】同実施形態による閲覧可否条件変更時の動作を示したシーケンス図である。
【図４５】同実施形態による画像閲覧時の動作を示したシーケンス図である。
【図４６】同実施形態による画像閲覧処理の動作の第１の例を詳細に示したフローチャートである。
【図４７】同実施形態による画像閲覧処理の動作の第２の例を詳細に示したフローチャートである。
【図４８】本開示の第１１の実施形態による位置・環境状態記憶部の構成の一例を示した説明図である。
【図４９】同実施形態による画像ＩＤ記憶部の構成の一例を示した説明図である。
【図５０】同実施形態による撮影前の動作を示したシーケンス図である。
【図５１】同実施形態による撮影時の動作を示したシーケンス図である。
【図５２】同実施形態による画像削除時の動作を示したシーケンス図である。
【図５３】本開示の第１の変形例による画像処理システムの構成を示した説明図である。
【図５４】同変形例の概略的な動作について示した説明図である。
【図５５】同変形例による通信端末の構成を示した機能ブロック図である。
【図５６】同変形例による撮影端末の構成を示した機能ブロック図である。
【図５７】同変形例による撮影前の動作を示したシーケンス図である。
【図５８】同変形例による撮影時の動作を示したシーケンス図である。
【図５９】本開示の第２の変形例による通信端末の構成を示した機能ブロック図である。
【図６０】同変形例による撮影時の動作を示したシーケンス図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて通信端末１０ａおよび通信端末１０ｂのように区別する。ただし、実質的に同一の機能構成を有する複数の構成要素の各々を特に区別する必要がない場合、同一符号のみを付する。例えば、通信端末１０ａおよび通信端末１０ｂを特に区別する必要が無い場合には、単に通信端末１０と称する。
【００１８】
また、以下に示す項目順序に従って当該「発明を実施するための形態」を説明する。
１．画像処理システムの基本構成
２．本開示の概要
３．各実施形態の詳細な説明
３−１．第１の実施形態
３−２．第２の実施形態
３−３．第３の実施形態
３−４．第４の実施形態
３−５．第５の実施形態
３−６．第６の実施形態
３−７．第７の実施形態
３−８．第８の実施形態
３−９．第９の実施形態
３−１０．第１０の実施形態
３−１１．第１１の実施形態
４．まとめ
５．変形例
５−１．第１の変形例
５−２．第２の変形例
【００１９】
＜１．画像処理システムの基本構成＞
本開示は、一例として「３−１．第１の実施形態」から「３−１１．第１１の実施形態」において詳細に説明するように、多様な形態で実施され得る。また、本開示の各実施形態による撮影端末３０は、
Ａ．撮影画像に含まれる人物画像に対応する撮影対象者の位置情報を取得する撮影対象者位置取得部３０４と、
Ｂ．前記撮影対象者の位置情報を、通信端末１０から送信される前記通信端末１０の位置情報と前記撮影対象者の位置情報とを比較する撮影可否管理サーバ２０（情報処理装置）に送信する通信部３１０（送信部）と、
Ｃ．前記撮影可否管理サーバ２０から受信される前記比較の結果に応じた情報に基づいて、前記人物画像の保護処理を行うか否かを判断する判断部３１２と、
を備える。
【００２０】
また、本開示の各実施形態による撮影可否管理サーバ２０は、
Ｄ．通信端末１０から受信される前記通信端末１０の位置情報を記憶する位置・環境状態記憶部２０２（記憶部）と、
Ｅ．撮影端末３０（画像処理装置）から撮影画像に含まれる人物画像に対応する撮影対象者の位置情報を受信する通信部２００（受信部）と、
Ｆ．前記位置・環境状態記憶部２０２に記憶された前記通信端末１０の位置情報と、前記撮影対象者の位置情報とを比較する比較部２０４と、
Ｇ．前記比較部２０４による前記比較の結果に応じて前記人物画像の保護処理を行うか否かを指示する情報を前記撮影端末３０（画像処理装置）に送信する通信部２００（送信部）と、
を備える。
【００２１】
以下では、まず、このような各実施形態において共通する画像処理システムの基本構成について図１を参照して説明する。図１に示したように、本開示の各実施形態による画像処理システムは、通信端末１０、通信網１２、撮影可否管理サーバ２０、および撮影端末３０を含む。
【００２２】
（通信端末１０）
通信端末１０は、撮影端末３０により撮影対象となる者（以下、撮影対象者と称する）が所持する通信端末である。この通信端末１０は、測位機能、通信機能、画面表示機能、時計機能、加速度センサ、ジャイロスコープ、気圧センサ、地磁気センサなどを有する。ここで、この測位機能は、例えばＧＰＳ（Ｇｌｏｂａｌ  Ｐｏｓｉｔｉｏｎｉｎｇ  Ｓｙｓｔｅｍ）やＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）などの測位衛星から測位信号を受信して、現在位置を測位する機能であってもよい。また、この測位機能は、複数の基地局からＷｉＦｉ電波を受信し、受信したＷｉＦｉ電波の受信強度及び各基地局の位置に基づいて現在位置を測位する機能であってもよい。また、この測位機能は、通信可能な範囲に設置されるＢｌｕｅｔｏｏｔｈアクセスポイントとの間の通信に基づいて現在位置を測位する機能であってもよい。
【００２３】
また、通信端末１０は、例えば、スマートフォンなどの携帯電話、タブレット端末、ＰＤＡ（Ｐｅｒｓｏｎａｌ  Ｄｉｇｉｔａｌ  Ａｓｓｉｓｔａｎｔ）、ラップトップ型ＰＣ（Ｐｅｒｓｏｎａｌ  Ｃｏｍｐｕｔｅｒ）、デジタルスチルカメラ、デジタルビデオカメラ、腕時計、メガネ型端末、ゲーム機などであってもよい。
【００２４】
（通信網１２）
通信網１２は、通信網１２に接続されている装置から送信される情報の無線、または有線の伝送路である。例えば、通信網１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２５】
（撮影端末３０）
撮影端末３０は、静止画像または動画像を撮影するための撮影端末である。この撮影端末３０は、撮影機能、測位機能、通信機能、および画面表示機能などを有する。なお、測位機能は、通信端末１０が有する測位機能と同様であってもよい。また、撮影端末３０は、例えば、デジタルスチルカメラ、デジタルビデオカメラ、スマートフォンなどの携帯電話、タブレット端末、メガネ型端末、ゲーム機などであってもよい。
【００２６】
（撮影可否管理サーバ２０）
撮影可否管理サーバ２０は、通信網１２に接続されるコンピュータであり、通信端末１０または撮影端末３０との間で各種データの送受信を行う。
【００２７】
また、撮影可否管理サーバ２０は、例えば図２に示すようなハードウェア構成を有する。図２に示したように、撮影可否管理サーバ２０は、ＣＰＵ（Ｃｅｎｔｒａｌ  Ｐｒｏｃｅｓｓｉｎｇ  Ｕｎｉｔ）２５０、ＲＯＭ（Ｒｅａｄ  Ｏｎｌｙ  Ｍｅｍｏｒｙ）２５２、ＲＡＭ（Ｒａｎｄｏｍ  Ａｃｃｅｓｓ  Ｍｅｍｏｒｙ）２５４、内部バス２５６、インターフェース２５８、ストレージ装置２６０、および通信装置２６２を備える。
【００２８】
ＣＰＵ２５０は、例えば、後述する本開示の各実施形態にかかる撮影可否管理サーバ２０の比較部２０４、および条件判断部２０８の一例として構成される。このＣＰＵ２５０は、演算処理装置および制御装置として機能し、各種プログラムに従って撮影可否管理サーバ２０内の動作全般を制御する。このＣＰＵ２５０は、マイクロプロセッサであってもよい。
【００２９】
ＲＯＭ２５２は、ＣＰＵ２５０が使用するプログラムや演算パラメータ等を記憶する。また、ＲＡＭ２５４は、ＣＰＵ２５０の実行において使用するプログラムや、その実行において適宜変化するパラメータ等を一時記憶する。ＣＰＵ２５０、ＲＯＭ２５２、およびＲＡＭ２５４は、ＣＰＵバスなどから構成される内部バス２５６により相互に接続されている。
【００３０】
インターフェース２５８は、ストレージ装置２６０、および通信装置２６２を、内部バス２５６と接続する。例えばストレージ装置２６０は、このインターフェース２５８および内部バス２５６を介して、ＲＡＭ２５４などとの間でデータをやり取りする。
【００３１】
ストレージ装置２６０は、例えば、後述する本開示の各実施形態にかかる撮影可否管理サーバ２０の位置・環境状態記憶部２０２、および撮影可否条件記憶部２０６の一例として構成されたデータ格納用の装置である。ストレージ装置２６０は、記憶媒体、記憶媒体にデータを記録する記録装置、記憶媒体からデータを読み出す読出し装置および記憶媒体に記録されたデータを削除する削除装置などを含んでもよい。このストレージ装置２６０は、ＣＰＵ２５０が実行するプログラムや各種データを格納する。
【００３２】
通信装置２６２は、例えば通信網１２に接続するための通信デバイス等で構成された通信インターフェースであり、本開示の各実施形態にかかる撮影可否管理サーバ２０の通信部１１０の一例として構成される。また、通信装置２６２は、無線ＬＡＮ対応通信装置、ＬＴＥ（Ｌｏｎｇ  Ｔｅｒｍ  Ｅｖｏｌｕｔｉｏｎ）対応通信装置、または有線による通信を行うワイヤー通信装置であってもよい。
【００３３】
なお、通信端末１０および撮影端末３０に関しても、上述した撮影可否管理サーバ２０と同様のハードウェア構成を有してもよい。
【００３４】
＜２．本開示の概要＞
以上、本開示の各実施形態による画像処理システムの基本構成について説明した。続いて、上述した画像処理システムから構成される本開示の各実施形態の概要について説明する。
【００３５】
図３は、本開示の各実施形態による概略的な動作を示した説明図である。図３に示したように、まず、通信端末１０は、通信端末１０の位置情報を取得するとともに、通信端末１０の所持者に関する撮影可否条件などの保護処理条件を当該所持者に設定させる。そして、通信端末１０は、取得された位置情報と、設定された保護処理条件と、を撮影可否管理サーバ２０へ送信する（Ｓ１１）。撮影可否管理サーバ２０は、受信された位置情報と保護処理条件とを対応づけて記憶する。
【００３６】
続いて、撮影端末３０は、人物画像を含む撮影画像を撮影する場合、撮影端末３０の位置情報に基づいて、当該人物画像に対応する撮影対象者の位置情報を計算する。そして、撮影端末３０は、撮影可否管理サーバ２０に対して、当該人物画像に対する保護処理の要否を問い合わせるとともに、当該撮影対象者の位置情報を送信する（Ｓ１３）。
【００３７】
続いて、撮影可否管理サーバ２０は、通信端末１０から送信された位置情報と、撮影端末３０から送信された撮影対象者の位置情報とを比較する。そして、撮影可否管理サーバ２０は、この比較結果に基づいて、当該人物画像の保護処理が必要であるか否かを判断する（Ｓ１５）。
【００３８】
続いて、撮影可否管理サーバ２０は、当該人物画像の保護処理を行うか否かを指示する情報を撮影端末３０へ送信する（Ｓ１７）。そして、撮影端末３０が、例えば人物画像の保護処理を行うことを指示する情報を撮影可否管理サーバ２０から受信した場合は、撮影端末３０は、当該人物画像に対して、例えばマスク処理などの保護処理を行う（Ｓ１９）。
【００３９】
本開示では上述した動作が実現されるので、通信端末１０の所持者は、自己の意思に沿った保護処理条件を設定することにより、プライバシー保護の要求を撮影画像に反映させることができる。
【００４０】
＜３．各実施形態の詳細な説明＞
以上、本開示の概要について説明した。続いて、本開示の各実施形態について順次詳細に説明する。
【００４１】
［３−１．第１の実施形態］
（３−１−１．第１の実施形態による構成）
（３−１−１−１．通信端末１０）
図４は、本開示の第１の実施形態による通信端末１０および撮影可否管理サーバ２０の構成を示した機能ブロック図である。図４に示したように、本開示の第１の実施形態による通信端末１０は、位置情報取得部１００、センサ情報取得部１０２、環境状態認識部１０４、操作部１０６、条件設定部１０８、通信部１１０、および表示部１１２を有する。
【００４２】
位置情報取得部１００は、通信端末１０の現在の位置情報を取得する機能を有する。位置情報取得部１００は、例えば複数のＧＰＳ衛星からのＧＰＳ信号を受信するＧＰＳアンテナと、受信したＧＰＳ信号に基づいて通信端末１０の現在位置を示す位置情報を算出するＧＰＳ処理部とにより実現されてもよい。また、位置情報取得部１００は、ＧＰＳ以外の測位衛星を用いて通信端末１０の現在の位置情報を取得してもよい。ここで、位置情報取得部１００は、１つの種類の衛星による測位信号を用いてもよいし、複数の種類の衛星による測位信号を組み合わせて用いてもよい。実施する時々の技術レベルに応じて、適宜、位置情報取得のために利用する構成を変更することが可能である。また位置情報取得部１００は、複数の基地局からのＷｉＦｉ（Ｗｉｒｅｌｅｓｓ  Ｆｉｄｅｌｉｔｙ）電波を受信する受信機と、受信したＷｉＦｉ電波の受信強度から各基地局との距離を推定し、各基地局との距離及び各基地局の位置を利用して三角測量の原理に基づいて現在位置を算出する現在位置算出部により実現されてもよい。あるいは、位置情報取得部１００は、絶対測位機能と併せて、ジャイロセンサ及び加速度センサから取得することのできる進行方向と速度を用いて現在位置を算出する自律航法の機能を有してもよい。
【００４３】
また、位置情報取得部１００は、所定の時間間隔ごとに自動的に通信端末１０の位置情報を取得する。あるいは、位置情報取得部１００は、後述するセンサ情報取得部１０２が通信端末１０の移動を検知するたびに通信端末１０の位置情報を取得してもよい。
【００４４】
センサ情報取得部１０２は、通信端末１０が有する各種センサおよび各種装置を介して各種情報を取得する。例えば、センサ情報取得部１０２は、通信端末１０の加速度、通信端末１０の角度、気圧、地磁気、時刻などを取得する。
【００４５】
環境状態認識部１０４は、位置情報取得部１００により取得される位置情報と、センサ情報取得部１０２により取得されるセンサ情報と、に基づいて、通信端末１０の現在の環境状態を判定する。また、環境状態認識部１０４は、位置情報取得部１００により取得される位置情報と、通信部１１０により受信される、環境状態を示す情報と、に基づいて、通信端末１０の環境状態を判定してもよい。ここで、環境状態は、通信端末１０または通信端末１０の所持者に関係する状態である。例えば、環境状態は、通信端末１０の所持者の移動状態、通信端末１０の所持者の周囲に位置する人物、所定のＳＮＳにおける通信端末１０の所持者と他の参加者との関係性に関する登録内容、通信端末１０の所持者の予定、または、時刻などであってもよい。
【００４６】
例えば、環境状態認識部１０４は、センサ情報取得部１０２により取得された通信端末１０の加速度の周波数成分によって、「乗り物乗車中」「歩行中」「ジョギング中」「静止中」などと判定してもよい。また、環境状態認識部１０４は、後述する第８の実施形態における位置共有サーバ６０のような、位置情報を管理する装置から、通信端末１０の所持者の知人の位置情報を受信し、そして、一緒に撮影される範囲内に知人が位置するか否かを判定してもよい。
【００４７】
操作部１０６は、通信端末１０の所持者による各種操作を受け付ける。例えば、操作部１０６は、条件設定部１０８に対する撮影可否条件を設定する操作や、後述するように、撮影端末３０によるマスク処理の方法を具体的に指定する操作などを受け付けてもよい。
【００４８】
条件設定部１０８は、操作部１０６に対する通信端末１０の所持者の操作により、撮影可否条件などの各種条件を設定する。また、条件設定部１０８は、本開示の各実施形態による画像処理システムを利用するためのアカウントや、所定のＳＮＳを利用するためのＳＮＳアカウントなど当該画像処理システムを利用するための必要または補助的な情報を設定してもよい。
【００４９】
通信部１１０は、通信網１２を介して撮影可否管理サーバ２０との間で各種情報を送受信する。例えば、通信部１１０は、位置情報取得部１００により取得された位置情報を撮影可否管理サーバ２０へ送信したり、撮影端末３０による撮影許可依頼を撮影可否管理サーバ２０から受信したりする。
【００５０】
表示部１１２は、条件設定部１０８に対して通信端末１０の所持者が各種条件を入力するための画面などの各種表示画面を表示する。
【００５１】
以上、第１の実施形態による通信端末１０の構成について説明したが、上述した構成に限定されない。例えば、環境状態認識部１０４は含まれなくてもよい。また、センサ情報取得部１０２、環境状態認識部１０４、操作部１０６、条件設定部１０８、および表示部１１２のうちいずれか一つ以上は、他の装置に備えられてもよい。
【００５２】
（３−１−１−２．撮影可否管理サーバ２０）
また、図４に示したように、本開示の第１の実施形態による撮影可否管理サーバ２０は、通信部２００、位置・環境状態記憶部２０２、比較部２０４、撮影可否条件記憶部２０６、条件判断部２０８を有する。
【００５３】
通信部２００は、通信網１２を介して通信端末１０または撮影端末３０との間で各種情報を送受信する。例えば、通信部２００は、撮影端末３０から撮影画像に含まれる人物画像に対応する撮影対象者の位置情報を受信したり、通信端末１０から保護処理条件を受信したり、また、比較部２０４による比較の結果に応じて人物画像の保護処理を行うか否かを指示する情報を撮影端末３０に送信したりする。
【００５４】
ここで、保護処理条件は、撮影端末３０による撮影前の撮影画像に含まれる人物画像の保護処理に関する条件であってもよい。例えば、保護処理条件は、撮影端末３０による撮影前の撮影画像に対する撮影の可否を指定する条件である撮影可否条件であってもよい。また、人物画像の保護処理は、撮影端末３０による撮影後の撮影画像に含まれる人物画像に対して施されるマスク処理であってもよい。また、人物画像の保護処理は、撮影端末３０による撮影前の人物画像に対応する撮影対象者に対して、撮影端末３０による撮影を許可しない処理であってもよい。なお、本明細書では以後、撮影画像は、撮影前の画像、つまり撮影端末３０のレンズにより結像され、撮影端末３０のファインダに表示される画像、または撮影後の画像、つまり、後述する撮影端末３０の撮像部３００により撮像された後、記憶部３１６に記憶された画像を含むものとする。
【００５５】
位置・環境状態記憶部２０２は、通信端末１０から受信されるアカウントと、位置情報と、環境状態とを対応づけて記憶する。ここで、アカウントは、第１の実施形態による画像処理システムを利用するためのアカウントであってもよい。
【００５６】
図５は、本開示の第１の実施形態による位置・環境状態記憶部２０２の構成の一例を示した説明図である。図５に示したように、位置・環境状態記憶部２０２は、アカウント列２０２０と、位置情報列２０２２と、環境状態列２０２４とを対応づけて記憶してもよい。例えば、図５の２行目に示したデータは、アカウントが「Ｙａｍａｄａ」である所持者が利用する通信端末１０から、位置情報として「（ｘ、ｙ）」、環境状態として「車運転中」がそれぞれ受信されたことを示している。なお、図５では、位置情報として、例えば緯度および経度の情報からなる２次元のデータを記載しているが、かかる例に限定されず、例えば緯度、経度、および高さの情報からなる３次元のデータであってもよい。
【００５７】
比較部２０４は、位置・環境状態記憶部２０２に記憶された通信端末１０の位置情報と、撮影端末３０から受信される撮影対象者の位置情報とを比較する。また、比較部２０４は、上記の比較により両者の位置情報が一致する、または差分が所定の閾値未満であると判断した場合は、当該位置情報およびアカウントを条件判断部２０８へ伝達する。
【００５８】
撮影可否条件記憶部２０６は、通信端末１０から受信されるアカウントと、例えば撮影可否条件などの保護処理条件とを対応づけて記憶する。
【００５９】
図６は、第１の実施形態による撮影可否条件記憶部２０６の構成の一例を示した説明図である。図６に示したように、撮影可否条件記憶部２０６は、アカウント列２０６０と、撮影可否条件列２０６２とを対応づけて記憶してもよい。例えば、図６の２行目に示したデータは、アカウントが「Ｙａｍａｄａ」である所持者が利用する通信端末１０から、撮影可否条件として「移動中は不可」が受信されたことを示している。
【００６０】
条件判断部２０８は、人物画像の保護処理に関する条件である保護処理条件を通信端末１０の環境状態が満たすか否かを判断する。また、条件判断部２０８は、比較部２０４による比較の結果および条件判断部２０８による上述した判断の結果に応じて人物画像の保護処理を行うか否かを判断する。より具体的には、条件判断部２０８は、比較部２０４により位置情報が一致する、または差分が所定の閾値未満であると判定されたアカウントに関して、撮影可否条件記憶部２０６に記憶された保護処理条件を、位置・環境状態記憶部２０２に記憶された環境状態が満たすか否かを判断する。
【００６１】
例えば、条件判断部２０８は、撮影端末３０から撮影対象者までの距離情報の範囲が保護処理条件として設定された場合に、当該保護処理条件を、撮影端末３０から受信される撮影対象者までの距離情報が満たすか否かを判断してもよい。また、図５および図６に示した例では、「Ｙａｍａｄａ」というアカウントに関して、位置・環境状態記憶部２０２における環境状態列２０２４の値は「車運転中」であり、撮影可否条件記憶部２０６における撮影可否条件列２０６２の値は「移動中は不可」である。このため、条件判断部２０８は、「Ｙａｍａｄａ」というアカウントに関して「撮影不可」と判断してもよい。
【００６２】
なお、本開示の各実施形態によれば、撮影可否管理サーバ２０に内蔵されるＣＰＵ２５０、ＲＯＭ２５２およびＲＡＭ２５４などのハードウェアを、上述した撮影可否管理サーバ２０の各構成と同等の機能を発揮させるためのコンピュータプログラムも提供可能である。また、該コンピュータプログラムを記憶させた記憶媒体も提供される。
【００６３】
（３−１−１−３．撮影端末３０）
また、図７に示したように、本開示の第１の実施形態による撮影端末３０は、撮像部３００、位置情報取得部３０２、撮影対象者位置取得部３０４、方位取得部３０６、撮影対象者距離取得部３０８、通信部３１０、判断部３１２、マスク部３１４、記憶部３１６、表示部３１８、および操作部３２０を有する。
【００６４】
撮像部３００は、外部の映像を、撮影端末３０のレンズを通してＣＣＤ（Ｃｈａｒｇｅ  Ｃｏｕｐｌｅｄ  Ｄｅｖｉｃｅ）撮像板などの撮像素子に結像させ、静止画像又は動画像を撮影する機能を有する。
【００６５】
位置情報取得部３０２は、撮影端末３０の現在の位置情報を取得する機能を有する。この位置情報取得部３０２は、通信端末１０における位置情報取得部１００と同様の方法により、撮影端末３０の位置情報を取得してもよい。なお、位置情報取得部３０２は、所定の時間間隔ごとに自動的に撮影端末３０の位置情報を取得してもよいし、操作部３２０に対する撮影者の操作がなされた場合に撮影端末３０の位置情報を取得してもよい。
【００６６】
撮影対象者位置取得部３０４は、撮影端末３０の位置情報に基づいて、撮影画像に含まれる人物画像に対応する撮影対象者の位置情報を取得する。より具体的には、撮影対象者位置取得部３０４は、例えば図８に示すように、撮影者位置Ｐ１（ｘ１，ｙ１）から撮影対象者までの距離Ｒと視線方向θ１を用いることによって、撮影対象者位置Ｐ２（ｘ２，ｙ２）を算出する。ここで、撮影者位置Ｐ１は、上述したように位置情報取得部３０２により取得される。また、撮影対象者までの距離Ｒは、後述するように撮影対象者距離取得部３０８により取得される。また、視線方向θ１は、以下に述べるように、撮影対象者位置取得部３０４により算出される。
【００６７】
撮影対象者位置取得部３０４は、後述する方位取得部３０６から取得される機器方位θ２の値を用いて、撮影対象者への視線方向θ１を算出することができる。例えば撮影対象者が表示画面の中央付近となるときには、撮影対象者位置取得部３０４は、機器方位θ２を視線方向θ１とすることができる。あるいは撮影対象者位置取得部３０４は、表示画面の中心から外れた位置の撮影対象者が指定される場合には、画角に対する撮影対象者の位置から機器方位θ２からの視線方向θ１の方位差θ３を算出することによって視線方向θ１を算出することができる。例えば図９に示すように、画面中心から撮影対象者までの角度θ３、画角の半分の角度θ４、画素数ｓ、及び画素数ｗの間には、以下の数式（１）の関係が成り立つ。
【００６８】
ｓ／ｗ＝ｔａｎθ３／ｔａｎθ４・・・数式（１）
【００６９】
ここで、画素数ｗは、表示画面の横幅の半分の画素数であり、画素数ｓは、表示画面中心から撮影対象者の位置までの距離を示す画素数である。撮影対象者位置取得部３０４は、この数式（１）を利用することによって角度θ３の値を求めることができる。ここで、機器方位は方位取得部３０６により取得される。そして、撮影対象者位置取得部３０４は、機器方位θ２に、画面中心から撮影対象者までの角度θ３を加えることによって視線方向θ１を算出することができる（θ１＝θ２＋θ３）。
【００７０】
方位取得部３０６は、撮影端末３０の機器方位θ２を取得する機能を有する。方位取得部３０６は、例えば３軸加速度センサと３軸地磁気センサとを用いることにより実現することができる。例えば方位取得部３０６は、３軸加速度センサにより取得される３軸方向の加速度データに基づいて所定の姿勢角検出処理を行うことにより生成される姿勢角データと、３軸地磁気センサにより検出される３軸方向の地磁気データとに基づいて、撮影端末３０の機器方位θ２を示す方位データを生成することができる。
【００７１】
撮影対象者距離取得部３０８は、撮影端末３０から撮影対象者までの距離Ｒを取得する。この撮影対象者距離取得部３０８は、例えば図１０に示すように、撮影対象者の表示画面上の大きさ（画素数）を用いて撮影端末３０から撮影対象者までの距離Ｒを取得してもよい。図１０に示した例では、撮影対象者距離取得部３０８は、平均的な顔の大きさＨ（ｍ）を仮定する。そして、撮影対象者距離取得部３０８は、表示画面上における顔の大きさｈ（ｐｉｘｅｌ）を用いて下記に示す関係を用いることにより、距離Ｒを算出してもよい。具体的には、撮影対象者距離取得部３０８は、数式（２）に数式（３）の関係を適用することによって、数式（４）を導くことができる。そして、撮影対象者距離取得部３０８は、この数式（４）を用いることによって距離Ｒを算出することができる。なお、数式（２）〜数式（４）において、ｌは表示画面の縦幅の半分の値であり、Ｌは、このｌに対応する実際の距離とする。
【００７２】
【数１】
2014078910.tif 000003
【００７３】
また、撮影対象者距離取得部３０８は、例えば図１１に示すように、複眼カメラの視差を用いることによって撮影端末３０から撮影対象者までの距離Ｒを推定することができる。このとき撮影対象者距離取得部３０８は、下記の数式（５）を用いることによって、距離Ｒを算出することができる。
【００７４】
【数２】
2014078910.tif 000004
【００７５】
また、撮影対象者距離取得部３０８は、例えば図１２に示すように、各種の測距センサを用いることによって、撮影端末３０から撮影対象者までの距離Ｒを取得してもよい。撮影対象者距離取得部３０８が用いる測距センサは、例えば、超音波測距センサ、静電容量変位測距センサ、光学式測距センサ、電磁波測距センサなどであってもよい。
【００７６】
また、撮影対象者距離取得部３０８は、撮像部３００により撮影対象者に焦点を合わせる場合に撮像部３００により得られる撮影対象者までの距離を、撮影対象者距離として定めてもよい。
【００７７】
ここで、図７を参照して、引き続き撮影端末３０の構成について説明する。通信部３１０は、通信網１２を介して撮影可否管理サーバ２０との間で各種情報を送受信する。例えば、通信部３１０は、撮影対象者位置取得部３０４により取得された撮影対象者の位置情報を撮影可否管理サーバ２０へ送信したり、撮影対象者に対する撮影可否の情報を撮影可否管理サーバ２０から受信したりする。
【００７８】
判断部３１２は、撮影可否管理サーバ２０から受信される、比較部２０４による比較の結果に応じた情報に基づいて、人物画像の保護処理を行うか否かを判断する。例えば、比較部２０４による比較の結果に応じた情報が当該人物画像の保護処理を行うことを指示する情報を含む場合は、判断部３１２は、当該人物画像の保護処理を行うことを判断してもよい。
【００７９】
マスク部３１４は、判断部３１２による判断結果に基づいて、撮影画像に含まれる人物画像に対してマスク処理を施す。例えば、マスク部３１４は、判断部３１２により当該人物画像の保護処理を行うことが判断された場合は、当該人物画像に対してマスク処理を施してもよい。ここで、マスク処理は、原画像の所定領域に対して、例えばモザイク化する画像処理、キャラクターなどのアイコンで置き換える画像処理、消去する画像処理（すなわち、背景画像に基づいて画像補間する処理）、黒などの特定の色で置き換える画像処理、または「白飛び」と認識されるような画像効果を付加する画像処理などであってもよい。
【００８０】
また、マスク部３１４は、通信端末１０により指定された画像処理方法が撮影可否管理サーバ２０から受信された場合に、人物画像に対して当該指定された画像処理方法によりマスク処理を施してもよい。
【００８１】
記憶部３１６は、撮像部３００により撮影された画像、またはマスク部３１４によりマスク処理を施された画像を記憶する。また、記憶部３１６は、通信端末１０による撮影画像に対する削除要求が撮影可否管理サーバ２０から受信された場合は、記憶部に記憶された当該撮影画像を削除してもよい。
【００８２】
表示部３１８は、撮影端末３０のレンズによって結像された画像を撮影前に表示するファインダとしての機能を有する。また、表示部３１８は、記憶部３１６に記憶された画像、またはマスク部３１４によりマスク処理を施された画像を表示する。また、表示部３１８は、撮影端末３０を操作するための操作画面などの各種表示画面を表示する。
【００８３】
操作部３２０は、撮影者による各種操作を受け付ける。例えば、操作部３２０は、撮影者による撮影操作や、記憶部３１６に記憶された画像を表示部３１８に表示させるための操作などを受け付ける。
【００８４】
なお、本開示の各実施形態によれば、撮影端末３０に内蔵されるＣＰＵ、ＲＯＭおよびＲＡＭなどのハードウェアを、上述した撮影端末３０の各構成と同等の機能を発揮させるためのコンピュータプログラムも提供可能である。また、該コンピュータプログラムを記憶させた記憶媒体も提供される。
【００８５】
（３−１−２．第１の実施形態による動作）
（３−１−２−１．撮影前の動作）
以上、第１の実施形態による構成について説明した。続いて、第１の実施形態による動作について説明する。最初に、第１の実施形態による撮影前の動作について説明する。図１３は、第１の実施形態による撮影前の動作を示すシーケンス図である。
【００８６】
図１３に示したように、まず、通信端末１０の所持者は、操作部１０６を介して条件設定部１０８に対して、アカウント、および保護処理条件などの各種条件を設定する（Ｓ１０１）。ここで、上述した各種条件の設定は、通信端末１０の代わりに、通信網１２に接続されるＰＣなどの他の装置を用いて行われてもよい。
【００８７】
続いて、通信部１１０は、設定されたアカウント、および保護処理条件などの情報を撮影可否管理サーバ２０へ送信する（Ｓ１０３）。
【００８８】
続いて、撮影可否管理サーバ２０の撮影可否条件記憶部２０６は、受信されたアカウントと、受信された保護処理条件とを対応づけて記憶する（Ｓ１０５）。
【００８９】
続いて、通信端末１０の位置情報取得部１００は、通信端末１０の位置情報を取得する。また、センサ情報取得部１０２は、通信端末１０の加速度、通信端末１０の角度、気圧、地磁気などの各種のセンサ情報を取得する（Ｓ１０７）。次に、環境状態認識部１０４は、取得された位置情報および取得されたセンサ情報に基づいて、通信端末１０の現在の環境状態を判定する。または、環境状態認識部１０４は、取得された位置情報と、外部の装置から受信された、環境状態を示す情報と、に基づいて、通信端末１０の現在の環境状態を判定する（Ｓ１０９）。
【００９０】
続いて、通信部１１０は、Ｓ１０１で設定されたアカウントと、Ｓ１０７で取得された位置情報と、Ｓ１０９で判定された環境状態とを撮影可否管理サーバ２０へ送信する（Ｓ１１１）。
【００９１】
続いて、撮影可否管理サーバ２０の位置・環境状態記憶部２０２は、受信されたアカウントと、受信された位置情報と、受信された環境状態とを対応づけて記憶する（Ｓ１１３）。
【００９２】
その後、Ｓ１０７〜Ｓ１１３の動作は、所定の時間間隔で繰り返される。なお、変形例として、Ｓ１０７〜Ｓ１１３の動作は、所定の時間間隔で繰り返される代わりに、センサ情報取得部１０２が通信端末１０の移動を検知するたびに繰り返されてもよい。
【００９３】
（３−１−２−２．撮影時の動作）
続いて、第１の実施形態による撮影時の動作について説明する。図１４は、第１の実施形態による撮影時の動作を示すシーケンス図である。
【００９４】
図１４に示したように、まず、撮影端末３０の位置情報取得部３０２は、撮影端末３０の位置情報を取得する（Ｓ１２１）。次に、操作部３２０に対する撮影者の操作により、撮影モードが起動される（Ｓ１２３）。この撮影モードが起動されると、撮影端末３０のファインダに、撮影前の撮影画像が表示される。
【００９５】
続いて、撮影対象者位置取得部３０４は、所定の人物検出法を用いて、当該撮影画像に人物画像が含まれるか否かを判定する。そして、撮影画像に人物画像が１つ以上含まれる場合は、撮影対象者位置取得部３０４は、撮影画像に含まれる各人物画像の画素領域を検出する（Ｓ１２５）。
【００９６】
続いて、撮影対象者位置取得部３０４は、検出された各人物画像に対応する撮影対象者それぞれの位置情報を算出する（Ｓ１２７）。より具体的には、撮影対象者位置取得部３０４は、上述したように、位置情報取得部３０２により取得される撮影端末３０の位置情報と、撮影対象者距離取得部３０８により算出される各撮影対象者までの距離情報と、撮影対象者位置取得部３０４により算出される視線方向とに基づいて、各撮影対象者の位置情報を算出する。
【００９７】
続いて、通信部３１０は、算出された各撮影対象者の位置情報を撮影可否管理サーバ２０へ送信する（Ｓ１２９）。また、通信部３１０は、算出された撮影端末３０から各撮影対象者までの距離情報、または検出された各人物画像の画素領域なども撮影可否管理サーバ２０へ送信してもよい。
【００９８】
続いて、撮影可否管理サーバ２０の比較部２０４は、位置・環境状態記憶部２０２に記憶された通信端末１０の位置情報と、撮影端末３０から受信された撮影対象者の位置情報とを比較する（Ｓ１３１）。例えば、図５に示した位置・環境状態記憶部２０２の例では、比較部２０４は、撮影端末３０から受信された撮影対象者の位置情報と、位置情報列２０２２の各値とを比較し、位置情報が同一であるアカウントを抽出する。例えば、撮影対象者の位置情報が「（ｘ、ｙ）」である場合は、比較部２０４は、位置情報列２０２２の各値と比較し、位置情報が同一であるアカウント「Ｙａｍａｄａ」を抽出する。
【００９９】
続いて、撮影可否管理サーバ２０の条件判断部２０８は、比較部２０４により位置情報が一致する、または差分が所定の閾値未満であると判定されたアカウントに関して、撮影可否条件記憶部２０６に記憶された保護処理条件を、位置・環境状態記憶部２０２に記憶された環境状態が満たすか否かを判断する。そして、条件判断部２０８は、上記の判断の結果に応じて当該人物画像の保護処理を行うか否かを判断する（Ｓ１３３）。例えば、図５および図６に示した例では、比較部２０４によりアカウント「Ｙａｍａｄａ」が抽出されている場合、位置・環境状態記憶部２０２における環境状態列２０２４の値は「車運転中」であり、撮影可否条件記憶部２０６における撮影可否条件列２０６２の値は「移動中は不可」である。このため、条件判断部２０８は、撮影可否条件列２０６２の値を環境状態列２０２４の値が満たさないので、当該アカウントに関して、例えば「撮影不可」のように、人物画像の保護処理を行うことを判断してもよい。
【０１００】
続いて、通信部２００は、比較部２０４により位置情報が一致する、または差分が所定の閾値未満であると判定されたアカウントに関して、当該アカウントに対応する人物画像の保護処理を行うか否かを指示する情報を撮影端末３０へ送信する（Ｓ１３５）。そして、条件判断部２０８により、例えば撮影対象者の撮影を許可することが判断された場合は、通信部２００は、撮影が実施されたことの通知（以下、撮影通知と称する）を通信端末１０へ送信する（Ｓ１３７）。ここで、この撮影通知には、撮影された時刻、撮影された場所、および撮影された撮影画像または人物画像のサイズなどを含んでもよい。なお、Ｓ１３７の動作は、Ｓ１３５と同時に実施されてもよいし、Ｓ１３３とＳ１３５との間で実施されてもよいし、実施されなくてもよい。
【０１０１】
続いて、撮影端末３０は、受信された、各人物画像の保護処理を行うか否かを指示する情報に基づいて、撮影処理を行う（Ｓ１３９）。
【０１０２】
‐撮影処理の第１の動作例‐
ここで、図１５および図１６を参照して、Ｓ１３９の動作を詳細に説明する。図１５は、Ｓ１３９における撮影処理の第１の動作例を示すフローチャートである。なお、以下に述べるように、第１の動作例では、撮影端末３０により撮影が可能でないと判断された場合は、撮影端末３０は、撮影画像に含まれる人物画像に対してマスク処理を施す。
【０１０３】
図１５に示したように、第１の動作例では、まず、例えば撮影者による撮影端末３０のシャッターボタンの押下などの操作により、撮像部３００が撮影画像を撮影する（Ｓ１５１）。
【０１０４】
続いて、判断部３１２は、撮影可否管理サーバ２０から受信された、各人物画像の保護処理を行うか否かを指示する情報に基づいて、各人物画像に対応する撮影対象者に関して撮影が可能であるか否かを判断する（Ｓ１５３）。例えば、ある人物画像の保護処理を行うことを指示する情報が受信された場合は、判断部３１２は、当該人物画像に対応する撮影対象者に関して撮影が可能でないと判断する。
【０１０５】
判断部３１２により撮影が可能であると判断された場合は（Ｓ１５３：Ｙｅｓ）、記憶部３１６は、撮像部３００により撮影された撮影画像を記憶する（Ｓ１５７）。
【０１０６】
一方、判断部３１２により撮影が可能でないと判断された場合は（Ｓ１５３：Ｎｏ）、マスク部３１４は、撮像部３００により撮影された撮影画像に含まれる人物画像に対してマスク処理を施す（Ｓ１５５）。続いて、記憶部３１６は、マスク部３１４によりマスク処理を施された撮影画像を記憶する（Ｓ１５７）。
【０１０７】
‐撮影処理の第２の動作例‐
また、図１６は、Ｓ１３９における撮影処理の第２の動作例を示すフローチャートである。なお、以下に述べるように、第２の動作例では、撮影端末３０により撮影が可能でないと判断された場合は、撮影端末３０は、撮影画像に対して撮影を実施しない。
【０１０８】
図１６に示したように、第２の動作例では、まず、判断部３１２は、Ｓ１５３と同様にして、撮影可否管理サーバ２０から受信された、各人物画像の保護処理を行うか否かを指示する情報に基づいて、各人物画像に対応する全ての撮影対象者に関して撮影が可能であるか否かを判断する（Ｓ１６１）。
【０１０９】
判断部３１２により全員の撮影が可能であると判断された場合は（Ｓ１６１：Ｙｅｓ）、撮像部３００は、Ｓ１５１と同様にして、撮影画像を撮影する（Ｓ１６３）。続いて、記憶部３１６は、Ｓ１５７と同様にして、撮像部３００により撮影された撮影画像を記憶する（Ｓ１６５）。
【０１１０】
一方、判断部３１２により一人でも撮影が可能でないと判断された場合は（Ｓ１６１：Ｎｏ）、表示部３１８は、撮影不可である旨を表示する（Ｓ１６７）。なお、Ｓ１６７において、表示部３１８は、撮影端末３０のファインダにおいて、撮影不可であると判断された撮影対象者に関して、例えば当該撮影対象者に対応する画素領域を実線で囲むなど強調して表示してもよい。このように強調して表示することにより、撮影者は、いずれの撮影対象者に関して撮影不可であるかを識別することが可能になる。
【０１１１】
‐変形例‐
なお、Ｓ１２９において撮影可否管理サーバ２０に問い合わせが行われた撮影対象者に関して、例えば撮影者または撮影対象者の動きによって、撮影端末３０のフレーム内において当該撮影対象者に対応する人物画像の位置が変化したり、一度フレームアウトした後再度フレームインする可能性がある。このため、撮影端末３０の撮影対象者位置取得部３０４は、イメージトラッキング等の画像処理手法によって撮影対象者を追尾してもよい。
【０１１２】
この変形例によれば、撮影端末３０は、撮影者の操作によってフレーム内における人物画像の位置が変化しても、撮影可否管理サーバ２０に対して再度問い合わせはしないので、撮影可否管理サーバ２０に対して問い合わせる回数を抑えることができる。
【０１１３】
ただし、撮影端末３０により撮影可否管理サーバ２０に問い合わせが行われた後で、通信端末１０の所持者が保護処理条件の設定を変更する可能性もある。このため、上述した変形例のように、撮影対象者位置取得部３０４が撮影対象者を追尾する場合であっても、所定の時間間隔ごとに、通信部３１０は、Ｓ１２９と同様にして、撮影対象者の撮影可否を撮影可否管理サーバ２０に問い合わせてもよい。また、別の変形例として、撮影端末３０により撮影可否管理サーバ２０に問い合わせが行われた後で、通信端末１０の所持者が所定の時間以内に保護処理条件の設定を変更した場合には、撮影可否管理サーバ２０は、当該保護処理条件の設定変更を撮影端末３０に対して自動的に通知してもよい。
【０１１４】
（３−１−３．第１の実施形態による効果）
以上説明したように、第１の実施形態によれば、撮影可否管理サーバ２０は、通信端末１０から受信される通信端末１０の位置情報と、撮影端末３０から受信される、撮影画像に含まれる人物画像に対応する撮影対象者の位置情報とを比較することにより、通信端末１０の所持者と撮影対象者とが同一であるか否かを確認する。また、撮影可否管理サーバ２０は、通信端末１０から受信される保護処理条件を、通信端末１０から受信される環境状態が満たすか否かを判断し、判断の結果に応じて、撮影対象者、つまり通信端末１０の所持者に対応する人物画像の保護処理を行うか否かを指示する情報を撮影端末３０へ送信する。このため、撮影対象者は、自己の意思に沿った保護処理条件を設定することにより、プライバシー保護の要求を撮影画像に反映させることができる。
【０１１５】
例えば、撮影対象者は、保護処理条件として、撮影を許可しない条件を設定することにより、撮影されることを厭う場合には、撮影端末３０による撮影を制限することができる。また、撮影対象者は、保護処理条件として、例えばモザイク化などのマスク処理の方法を指定することにより、撮影対象者を特定困難な形式で記録させるように制御することができる。
【０１１６】
また、例えば撮影者と撮影対象者とが知人である場合は、撮影対象者は、マスク処理の方法として、例えばキャラクターなどを指定することにより、自己の希望する画像効果を撮影後の撮影画像に加えることができる。このため、撮影者と撮影対象者との間で撮影を楽しむことができる。
【０１１７】
また、撮影端末３０は、撮影端末３０の位置情報と、撮影端末３０の視線方向と、人物画像の画素数とに基づいて撮影対象者の位置情報を算出するので、特別な機能を有するハードウェアを必要としない。このため、撮影端末３０として、例えば市販のデジタルスチルカメラのような安価な装置を用いることができる。
【０１１８】
［３−２．第２の実施形態］
以上、第１の実施形態について説明した。上述したように、第１の実施形態では、保護処理条件を通信端末１０の環境状態が満たすか否かを、撮影可否管理サーバ２０が判断する。次に説明するように、第２の実施形態によれば、保護処理条件を通信端末１０の環境状態が満たすか否かを、通信端末１０が判断する。
【０１１９】
（３−２−１．第２の実施形態による構成）
（３−２−１−１．通信端末１０）
図１７は、第２の実施形態による通信端末１０および撮影可否管理サーバ２０の構成を示した機能ブロック図である。図１７に示したように、第２の実施形態による通信端末１０は、第１の実施形態と比較して、環境状態認識部１０４を含まない代わりに、条件判断部１１４を新たに含む。なお、その他の構成要素の機能は、第１の実施形態と同様である。
【０１２０】
条件判断部１１４は、位置情報取得部１００により取得される位置情報、およびセンサ情報取得部１０２により取得されるセンサ情報に基づいて、通信端末１０の現在の環境状態を判定する。また、条件判断部１１４は、判定した環境状態が、条件設定部１０８により設定される保護処理条件を満たすか否かを判断し、判断した結果を通信部１１０を介して撮影可否管理サーバ２０へ送信する。
【０１２１】
（３−２−１−２．撮影可否管理サーバ２０）
また、図１７に示したように、第２の実施形態による撮影可否管理サーバ２０は、第１の実施形態と比較して、位置・環境状態記憶部２０２、比較部２０４、撮影可否条件記憶部２０６、および条件判断部２０８を含まない代わりに、位置・撮影可否記憶部２１０、および比較部２１２を新たに含む。なお、その他の構成要素の機能は、第１の実施形態と同様である。
【０１２２】
位置・撮影可否記憶部２１０は、通信端末１０から受信される、位置情報と、人物画像の保護処理の要否と、保護処理条件とを対応づけて記憶する。
【０１２３】
図１８は、第２の実施形態による位置・撮影可否記憶部２１０の構成の一例を示した説明図である。図１８に示したように、位置・撮影可否記憶部２１０は、位置情報列２１００と、撮影可否列２１０２と、マスク方法の指定列２１０４とを対応づけて記憶してもよい。例えば、図１８の３行目に示したデータは、通信端末１０から、位置情報として「（ａ、ｂ）」、撮影可否として「可」、マスク方法の指定として「アイコンＡで置き換え」がそれぞれ受信されたことを示している。
【０１２４】
比較部２１２は、位置・撮影可否記憶部２１０に記憶された通信端末１０の位置情報と、撮影端末３０から受信される撮影対象者の位置情報とを比較する。また、比較部２１２は、上記の比較により両者の位置情報が一致する、または差分が所定の閾値未満であると判断した場合は、当該位置情報と、人物画像の保護処理の要否と、保護処理条件とを通信部２００を介して撮影端末３０へ送信する。
【０１２５】
（３−２−１−３．撮影端末３０）
第２の実施形態による撮影端末３０の構成は、第１の実施形態と同様であるので、ここでの説明を省略する。
【０１２６】
（３−２−２．第２の実施形態による動作）
（３−２−２−１．撮影前の動作）
以上、第２の実施形態による構成について説明した。続いて、第２の実施形態による動作について説明する。最初に、第２の実施形態による撮影前の動作について説明する。図１９は、第２の実施形態による撮影前の動作を示すシーケンス図である。なお、Ｓ２０１およびＳ２０３の動作に関しては、それぞれ第１の実施形態におけるＳ１０１およびＳ１０７と同様である。従って、ここでは説明を省略する。
【０１２７】
Ｓ２０３の後、通信端末１０の条件判断部１１４は、位置情報取得部１００により取得された位置情報、およびセンサ情報取得部１０２により取得されたセンサ情報に基づいて、通信端末１０の現在の環境状態を判定する。次に、条件判断部１１４は、判定した環境状態が、条件設定部１０８により設定された保護処理条件を満たすか否かを判断する（Ｓ２０５）。
【０１２８】
続いて、通信部１１０は、Ｓ２０３で取得された位置情報と、Ｓ２０５で判断された保護処理の要否と、Ｓ２０１で設定された保護処理条件と、を撮影可否管理サーバ２０へ送信する（Ｓ２０７）。
【０１２９】
続いて、撮影可否管理サーバ２０の位置・撮影可否記憶部２１０は、受信された、位置情報と、人物画像の保護処理の要否と、保護処理条件とを対応づけて記憶する（Ｓ２０９）。
【０１３０】
その後、Ｓ２０３〜Ｓ２０９の動作は所定の時間間隔で繰り返される。なお、変形例として、Ｓ２０３〜Ｓ２０９の動作は、所定の時間間隔で繰り返される代わりに、センサ情報取得部１０２が通信端末１０の移動を検知するたびに繰り返されてもよい。
【０１３１】
（３−２−２−２．撮影時の動作）
続いて、第２の実施形態による撮影時の動作について説明する。図２０は、第２の実施形態による撮影時の動作を示すシーケンス図である。なお、Ｓ２２１〜Ｓ２２７の動作に関しては、第１の実施形態（Ｓ１２１〜Ｓ１２７）と同様である。従って、ここでは説明を省略する。
【０１３２】
Ｓ２２７の後、撮影端末３０の通信部３１０は、Ｓ２２７で算出された撮影対象者の位置情報を撮影可否管理サーバ２０へ送信する（Ｓ２２９）。
【０１３３】
続いて、撮影可否管理サーバ２０の比較部２０４は、位置・撮影可否記憶部２１０に記憶された通信端末１０の位置情報と、撮影端末３０から受信された撮影対象者の位置情報とを比較する（Ｓ２３１）。例えば、図１８に示した位置・撮影可否記憶部２１０の例では、比較部２０４は、撮影端末３０から受信された撮影対象者の位置情報と、位置情報列２１００の各値とを比較し、位置情報が同一であるデータ行を抽出する。例えば、撮影対象者の位置情報が「（ａ、ｂ）」である場合は、比較部２０４は、位置情報列２１００の各値と比較し、位置情報が同一である３行目のデータを抽出する。
【０１３４】
続いて、比較部２１２が上記の比較により両者の位置情報が一致する、または差分が所定の閾値未満であると判断した場合は、通信部２００は、当該人物画像に関する保護処理の要否と、保護処理条件と、を撮影端末３０へ送信する（Ｓ２３３）。そして、比較部２０４による比較の結果が一致または類似し、かつ、位置・撮影可否記憶部２１０に、例えば撮影対象者の撮影を許可することが記憶されている場合は、通信部２００は、Ｓ１３７と同様にして、撮影通知を通信端末１０へ送信する（Ｓ２３５）。なお、Ｓ２３５の動作は、Ｓ２３３と同時であってもよいし、Ｓ２３１とＳ２３３との間で実施されてもよいし、実施されなくてもよい。
【０１３５】
続いて、撮影端末３０は、受信された、各人物画像の保護処理を行うか否かを指示する情報に基づいて、撮影処理を行う（Ｓ２３７）。なお、Ｓ２３７の詳細な動作は、第１の実施形態におけるＳ１３９の動作と概略同様である。従って、ここでは説明を省略する。
【０１３６】
（３−２−３．第２の実施形態による効果）
以上説明したように、本開示の第２の実施形態によれば、通信端末１０は、通信端末１０に対して設定される保護処理条件を、通信端末１０が取得する環境状態が満たすか否かを判断し、この判断の結果に応じて、撮影対象者、つまり通信端末１０の所持者に対応する人物画像の保護処理の要否、および保護処理条件を撮影可否サーバ２０へ送信する。そして、撮影可否管理サーバ２０は、通信端末１０から受信された通信端末１０の位置情報と、撮影端末３０から受信された、撮影画像に含まれる人物画像に対応する撮影対象者の位置情報とを比較し、比較の結果が一致または類似する場合は、当該人物画像の保護処理の要否、および保護処理条件を撮影端末３０へ送信する。このため、撮影対象者は、自己の意思に沿った保護処理条件を設定することにより、プライバシー保護の要求を撮影画像に反映させることができる。
【０１３７】
また、第１の実施形態と比較すると、第２の実施形態では、撮影可否管理サーバ２０の代わりに、通信端末１０が、保護処理条件を通信端末１０の環境状態が満たすか否かを判断するので、撮影可否管理サーバ２０の負荷を軽減することができるという利点がある。
【０１３８】
［３−３．第３の実施形態］
以上、本開示の第２の実施形態について説明した。次に第３の実施形態について説明する。後述するように、第３の実施形態によれば、撮影端末３０による撮影処理後に、通信端末１０は、撮影後の撮影画像に対してマスク処理を施すように、撮影端末３０に要求することができる。
【０１３９】
（３−３−１．第３の実施形態による構成）
第３の実施形態による通信端末１０、撮影可否管理サーバ２０、および撮影端末３０の構成は、それぞれ第１の実施形態と同様である。従って、ここでは説明を省略する。
【０１４０】
（３−３−２．第３の実施形態による動作）
（３−３−２−１．撮影前の動作）
続いて、第３の実施形態による動作について説明する。なお、第３の実施形態による撮影前の動作については、第１の実施形態と同様である。従って、ここでは説明を省略する。
【０１４１】
（３−３−２−２．撮影時の動作）
続いて、第３の実施形態による撮影時の動作について説明する。図２１は、第３の実施形態による撮影時の動作の一部を示すシーケンス図である。
【０１４２】
なお、第１の実施形態によるＳ１２１〜Ｓ１３９の動作は、第３の実施形態でも概略同様であるので、図２１では記載を省略している。ただし、第３の実施形態は、主に以下の点で第１の実施形態と相違する。
【０１４３】
第３の実施形態では、Ｓ１２９に関しては、通信端末１０は、各撮影対象者の位置情報とともに、撮影端末３０の機器ＩＤを撮影可否管理サーバ２０へ送信する。
【０１４４】
また、Ｓ１３３に関しては、条件判断部２０８は、撮影画像に含まれる人物画像の保護処理を行うか否かを判断するとともに、当該撮影画像を識別するための画像ＩＤを決定する。そして、撮影可否管理サーバ２０の記憶部（図示省略）は、通信端末１０から受信された機器ＩＤと、条件判断部２０８により決定された画像ＩＤとを対応付けて記憶する。
【０１４５】
また、Ｓ１３５に関しては、撮影可否管理サーバ２０は、まず、保護処理条件に、撮影後の画像に関する所定の保存期間、および撮影画像の複製や共有を禁止することを加える。そして、撮影可否管理サーバ２０は、当該保護処理条件と、条件判断部２０８により決定された画像ＩＤとを撮影端末３０へ送信する。
【０１４６】
また、Ｓ１３９に関しては、撮影端末３０の撮像部３００が当該撮影画像に関して撮影処理を行った後、記憶部３１６が、撮影可否管理サーバ２０から受信された画像ＩＤを、当該撮影画像に対応づけて記憶する。
【０１４７】
以後、Ｓ１３９より後の動作について説明する。Ｓ１３９の後、通信端末１０の表示部１１２は、Ｓ１３７において撮影可否管理サーバ２０から送信された撮影通知の内容を表示する。そして、通信端末１０の所持者は、この撮影通知の内容を確認する（Ｓ３０１）。例えば、この撮影通知は、「本日１５：３０に、○○市××番地において、３００×２００のサイズで撮影されました。マスク化要求しますか？  Ｙｅｓ／Ｎｏ」のような内容であってもよい。また、この撮影通知には、「撮影許可条件を変更しますか？  Ｙｅｓ／Ｎｏ」のように、通信端末１０の所持者に保護処理条件の変更を促すメッセージを含んでもよい。
【０１４８】
続いて、通信端末１０の所持者は、撮影された撮影画像に対するマスク化を希望する場合は、操作部１０６に対して、撮影された撮影画像に対するマスク化の要求を入力する。ここで、操作部１０６は、マスク化の要求だけでなく、マスク化の方法の指定についても受け付けてもよい。次に、通信部１１０は、入力されたマスク化要求および指定されたマスク化の方法を撮影可否管理サーバ２０へ送信する（Ｓ３０３）。
【０１４９】
続いて、撮影可否管理サーバ２０の記憶部は、通信端末１０から受信されたマスク化要求に対応する撮影端末３０を特定する（Ｓ３０４）。より具体的には、記憶部は、当該マスク化要求に対応する画像ＩＤに対応づけて記憶された、撮影端末３０の機器ＩＤを特定する。
【０１５０】
続いて、撮影可否管理サーバ２０の通信部２００は、通信端末１０から受信されたマスク化要求、マスク化の方法、および画像ＩＤを、Ｓ３０４で特定された撮影端末３０へ送信する（Ｓ３０５）。
【０１５１】
続いて、撮影端末３０の記憶部３１６は、撮影可否管理サーバ２０から受信された画像ＩＤに対応する撮影画像を特定する（Ｓ３０６）。
【０１５２】
続いて、撮影端末３０のマスク部３１４は、記憶部３１６により特定された撮影画像に関して、受信されたマスク化要求およびマスク化の方法に基づいて、通信端末１０の所持者に対応する人物画像の領域に対してマスク処理を施す（Ｓ３０７）。
【０１５３】
続いて、記憶部３１６は、記憶部３１６に記憶された当該撮影画像に対して、Ｓ３０７においてマスク処理を施された撮影画像により上書きして記憶する（Ｓ３０９）。
【０１５４】
（３−３−３．第３の実施形態による効果）
以上説明したように、本開示の第３の実施形態によれば、通信端末１０は、撮影可否管理サーバ２０から撮影通知を受信した後、通信端末１０の所持者による操作によって当該撮影通知に対応する撮影画像に対するマスク化要求を撮影可否管理サーバ２０へ送信する。また、撮影可否管理サーバ２０は、受信されたマスク化要求を撮影端末３０へ送信する。このため、撮影端末３０による撮影処理後に、通信端末１０は、撮影後の撮影画像に対してマスク処理を施すように、撮影端末３０に要求することができる。例えば、通信端末１０の所持者は、保護処理条件を設定することを忘れていたり、または意図とは異なる条件を誤って設定していた場合に、撮影端末３０による撮影処理後に、撮影された撮影画像に対してマスク処理を施すように、撮影端末３０に要求することができる。
【０１５５】
また、通信端末１０は、マスク化の要求だけでなく、マスク化の方法の指定についても受け付けることができる。このため、例えば撮影者と撮影対象者とが知人である場合は、撮影後の撮影画像を閲覧した後で、撮影対象者がマスク処理の方法を指定することにより、自己の希望する画像効果を撮影後の撮影画像に加えることができ、撮影者と撮影対象者との間で撮影を楽しむことができる。
【０１５６】
また、撮影可否管理サーバ２０は、撮影画像の画像ＩＤと撮影端末３０の機器ＩＤとを対応づけて記憶する。このため、例えば撮影が実施されてから長時間が経過した場合であっても、撮影可否管理サーバ２０は、通信端末１０によるマスク化要求を撮影端末３０に反映させることができる。
【０１５７】
［３−４．第４の実施形態］
以上、本開示の第３の実施形態について説明した。次に第４の実施形態について説明する。後述するように、第４の実施形態によれば、撮影端末３０は、通信端末１０の所持者に対して、撮影可否管理サーバ２０を介して撮影の許可を依頼することができる。
【０１５８】
（３−４−１．第４の実施形態による構成）
第４の実施形態による通信端末１０、撮影可否管理サーバ２０、および撮影端末３０の構成は、それぞれ第１の実施形態と同様である。従って、ここでは説明を省略する。
【０１５９】
（３−４−２．第４の実施形態による動作）
（３−４−２−１．撮影前の動作）
続いて、第４の実施形態による動作について説明する。なお、第４の実施形態による撮影前の動作については、第１の実施形態と同様である。従って、ここでは説明を省略する。
【０１６０】
（３−４−２−２．撮影時の動作）
続いて、第４の実施形態による撮影時の動作について説明する。図２２は、第４の実施形態による撮影時の動作の一部を示すシーケンス図である。なお、第１の実施形態によるＳ１２１〜Ｓ１３１の動作は、第３の実施形態でも概略同様であるので、図２２では記載を省略している。
【０１６１】
以後、Ｓ１３１より後の動作について説明する。Ｓ１３１の後、撮影可否管理サーバ２０の条件判断部２０８は、Ｓ１３３と同様にして、撮影画像に含まれる人物画像の保護処理を行うか否かを判断する（Ｓ４０１）。次に、通信部２００は、Ｓ１３５と同様にして、比較部２０４により位置情報が一致する、または差分が所定の閾値未満であると判定されたアカウントに関して、当該アカウントに対応する人物画像に対する撮影の可否を撮影端末３０へ送信する（Ｓ４０３）。
【０１６２】
続いて、撮影端末３０の表示部３１８は、例えば図２３に示したような撮影許可依頼画面９０ａを表示部３１８に表示することにより、撮影可否管理サーバ２０から受信された、各人物画像に対する撮影の可否を表示する。ここで、撮影許可依頼画面９０ａは、例えば撮影端末３０のファインダに表示されてもよい。次に、操作部３２０は、例えば図２３に示した撮影許可依頼画面９０ａのように、表示部３１８に撮影不可であると表示された人物画像に関して、当該人物画像に対応する撮影対象者に対する撮影許可依頼を受け付ける（Ｓ４０５）。
【０１６３】
ここで、図２３を参照して、撮影許可依頼画面９０ａの構成例について説明する。撮影許可依頼画面９０ａは、人物画像９００、および撮影許可依頼欄９０２を有する。この撮影許可依頼画面９０ａでは、人物画像９００がモザイク化されずに表示されるか否かによって、それぞれの人物画像９００に対して、撮影可否管理サーバ２０から受信された撮影の可否を示している。例えば、人物画像９００ａはモザイク化されて表示されているので、この人物画像９００ａに対しては撮影不可であることを示している。また、撮影許可依頼欄９０２は、撮影不可であると表示された人物画像９００に対応する撮影対象者に対して撮影許可を依頼するための表示欄である。例えば、撮影許可依頼欄９０２ａは、人物画像９００ａに対応する撮影対象者に対して撮影許可を依頼するための表示欄である。ここで、この撮影許可依頼欄９０２ａに含まれる「Ｙｅｓ」ボタンが撮影者により押下された場合に、操作部３２０は、人物画像９００ａに対応する撮影対象者に対する撮影許可依頼を、通信部３１０を介して撮影可否管理サーバ２０へ送信してもよい。
【０１６４】
このとき、通信部３１０は、操作部３２０が受け付けた撮影許可依頼と、当該撮影許可依頼に対応する撮影対象者の位置情報と、を撮影可否管理サーバ２０へ送信する（Ｓ４０７）。
【０１６５】
続いて、撮影可否管理サーバ２０の比較部２０４は、位置・環境状態記憶部２０２に記憶された位置情報と、撮影端末３０から受信された位置情報とを比較し、位置情報が同一である通信端末１０を特定する（Ｓ４０９）。
【０１６６】
続いて、通信部２００は、Ｓ４０９により特定された通信端末１０に対して、撮影端末３０から受信された撮影許可依頼を送信する（Ｓ４１１）。
【０１６７】
続いて、通信端末１０の表示部１１２は、例えば図２４に示したような撮影許可画面９０ｂを表示する。ここで、図２４を参照して、撮影許可画面９０ｂの構成例について説明する。撮影許可画面９０ｂは、撮影許可欄９１０を有する。この撮影許可欄９１０は、撮影可否管理サーバ２０から受信された撮影許可依頼に対して、許可または不許可を応答するための表示欄である。例えば、操作部１０６は、この撮影許可欄９１０に含まれる「Ｙｅｓ」ボタンが通信端末１０の所持者により押下された場合、受信された撮影許可依頼に対して許可の応答を、通信部１１０を介して撮影可否管理サーバ２０へ送信してもよい。また、図２４に示したように、撮影許可欄９１０は、詳細設定ボタンを含んでもよい。この詳細設定ボタンは、撮影の許可に関して、例えば撮影画像の複製の禁止などの詳細な条件を設定するためのボタンであってもよい。
【０１６８】
続いて、操作部１０６は、表示部１１２に表示された撮影許可画面９０ｂに対する、通信端末１０の所持者の操作を受け付ける。そして、通信部１１０は、操作部１０６が受け付けた撮影許可依頼の応答を撮影可否管理サーバ２０へ送信する（Ｓ４１３）。
【０１６９】
続いて、撮影可否管理サーバ２０の通信部２００は、通信端末１０から受信された撮影許可依頼の応答を撮影端末３０へ送信する（Ｓ４１５）。
【０１７０】
続いて、撮影端末３０の表示部３１８は、例えば図２５に示した撮影許可依頼結果画面９０ｃのように、撮影可否管理サーバ２０から受信された撮影許可依頼の応答を表示する（Ｓ４１７）。ここで、図２５を参照して、撮影許可依頼結果画面９０ｃの構成例について説明する。撮影許可依頼結果画面９０ｃは、人物画像９００を有する。この撮影許可依頼結果画面９０ｃでは、人物画像９００がモザイク化されずに表示されるか否かによって、それぞれの人物画像９００に対して、撮影可否管理サーバ２０から受信された撮影許可依頼の諾否を示している。例えば、人物画像９００ａは、図２３ではモザイク化されて表示されているのに対して、図２５ではモザイク化されずに表示されている。このため、この人物画像９００ａに関しては、撮影端末３０による撮影許可依頼が通信端末１０により許可されたことを示している。
【０１７１】
その後、撮影端末３０は、受信された撮影許可依頼の応答に基づいて、撮影処理を行う（Ｓ４１９）。なお、Ｓ４１９の詳細な動作は、第１の実施形態におけるＳ１３９の動作と概略同様である。従って、ここでは説明を省略する。
【０１７２】
（３−４−３．第４の実施形態による効果）
以上説明したように、第４の実施形態によれば、撮影端末３０は、撮影可否管理サーバ２０から受信される撮影可否を表示部３１８に表示し、撮影不可を通知された人物画像に関しては、当該人物画像に対応する撮影対象者に対する、撮影者による撮影許可依頼を受け付ける。そして、撮影端末３０は、受け付けた撮影許可依頼を撮影可否管理サーバ２０へ送信する。また、撮影可否管理サーバ２０は、撮影端末３０から受信された撮影許可依頼を通信端末１０へ送信し、そして、通信端末１０から受信される当該撮影許可依頼の応答を撮影端末３０へ送信する。上記の動作により、撮影端末３０は、通信端末１０の所持者に対して、撮影可否管理サーバ２０を介して撮影許可を依頼することができる。また、撮影端末３０は、依頼した撮影許可に対する通信端末１０による応答の内容に基づいて撮影処理を行うことができる。
【０１７３】
［３−５．第５の実施形態］
以上、第４の実施形態について説明した。次に第５の実施形態について説明する。後述するように、第５の実施形態によれば、通信端末１０の所持者は、通信端末１０に搭載された予定表ソフトウェアを用いて、日時に関する保護処理条件を設定することができる。
【０１７４】
（３−５−１．第５の実施形態による構成）
第５の実施形態による通信端末１０、撮影可否管理サーバ２０、および撮影端末３０の構成は、それぞれ第１の実施形態と同様である。従って、ここでは説明を省略する。
【０１７５】
（３−５−２．第５の実施形態による動作）
（３−５−２−１．撮影前の動作）
続いて、第５の実施形態による動作について説明する。最初に、第５の実施形態による撮影前の動作について説明する。図２６は、第５の実施形態による撮影前の動作の一部を示すシーケンス図である。
【０１７６】
図２６に示したように、まず、通信端末１０の所持者は、操作部１０６に対する操作により、通信端末１０に搭載されている予定表ソフトウェアを起動し、当該予定表ソフトウェアに対して、例えば撮影を許可する日時などの保護処理条件を設定する（Ｓ５０１）。この予定表ソフトウェアは、例えば図２７に示した予定表登録画面９２ａのような登録画面を含んでもよい。
【０１７７】
ここで、図２７を参照し、予定表登録画面９２ａの構成例について説明する。予定表登録画面９２ａは、撮影可否日時入力欄９２０を含む。この撮影可否日時入力欄９２０は、撮影端末３０による撮影を許可する、または許可しない日時を設定するための入力欄である。例えば、撮影可否日時入力欄９２０ａでは、通信端末１０の所持者により「２０１２年８月１２日１３：００〜１６：００」に対して「撮影を許可」することが設定された例を示している。また、撮影可否日時入力欄９２０ｃのように、通信端末１０の所持者により入力がなされていない場合は、条件が設定されなくてもよいし、あるいは、一律に撮影を許可するか、もしくは一律に撮影を許可しないように自動的に設定されてもよい。また、撮影可否日時入力欄９２０には、日時だけでなく、例えばマスク方法の指定など、他の条件が入力されてもよい。
【０１７８】
続いて、通信端末１０の所持者は、操作部１０６を介して条件設定部１０８に対して、アカウント、および日時以外の保護処理条件などを設定する（Ｓ５０３）。次に、通信部１１０は、設定されたアカウント、予定表ソフトウェアにより設定された日時に関する保護処理条件、およびその他の保護処理条件などの情報を撮影可否管理サーバ２０へ送信する（Ｓ５０５）。
【０１７９】
なお、Ｓ５０５より後の動作に関しては、第１の実施形態によるＳ１０５〜Ｓ１１３の動作と概略同様である。従って、ここでは説明を省略する。
【０１８０】
（３−５−２−２．撮影時の動作）
第５の実施形態による撮影時の動作については、第１の実施形態と同様である。従って、ここでは説明を省略する。
【０１８１】
（３−５−３．第５の実施形態による効果）
以上説明したように、本開示の第５の実施形態によれば、通信端末１０の所持者は、通信端末１０に搭載された予定表ソフトウェアを用いて、例えば撮影を許可する、もしくは許可しない日時など、日時に関する保護処理条件を設定する。このため、通信端末１０の所持者は、日常使用している予定表ソフトウェアに対する操作により、容易に日時に関する保護処理条件を設定することができる。
【０１８２】
また、通信端末１０の所持者は、予定表ソフトウェアを使用するたびに、日時に関する保護処理条件の設定状況を確認することができるので、保護処理条件の設定漏れや、設定の誤りを発見しやすいという利点がある。
【０１８３】
［３−６．第６の実施形態］
以上、第５の実施形態について説明した。上述したように、第５の実施形態では、通信端末１０の所持者は、通信端末１０に搭載された予定表ソフトウェアを用いて、日時に関する保護処理条件を設定する。次に説明するように、第６の実施形態によれば、通信端末１０の所持者は、通信網１２に接続された予定表管理サーバ４０に対して、日時に関する保護処理条件を登録することができる。
【０１８４】
（３−６−１．第６の実施形態による画像処理システムの基本構成）
図２８は、本開示の第６の実施形態による画像処理システムの基本構成について示した説明図である。図２８に示したように、第６の実施形態による画像処理システムは、第１の実施形態と比較して、予定表管理サーバ４０を新たに含む。
【０１８５】
（予定表管理サーバ４０）
予定表管理サーバ４０は、通信網１２に接続される機器による予定表情報、および当該予定表情報に対応づけられる保護処理条件を記憶し、管理するためのコンピュータである。図２９は、予定表管理サーバ４０に登録される予定表情報の一例を示した説明図である。図２９に示したように、予定表管理サーバ４０は、アカウント列４０００と、日時列４００２と、撮影可否列４００４と、を対応づけて記憶してもよい。アカウント列４０００には、第６の実施形態による画像処理システムを利用するためのアカウントが登録される。また、日時列４００２には、各予定項目に関する日時が登録される。また、撮影可否列４００４には、例えば撮影端末３０による撮影の可否などの保護処理条件が登録される。例えば、図２９の２行目に示したデータは、「Ｙａｍａｄａ」というアカウントを有する利用者によって登録されたデータであり、「２０１２年８月１２日  ０：００〜１３：００」の時間帯に関して、撮影端末３０により「撮影不可」と登録されたことを示している。
【０１８６】
（３−６−２．第６の実施形態による構成）
第６の実施形態による通信端末１０、撮影可否管理サーバ２０、および撮影端末３０の構成は、それぞれ第１の実施形態と同様である。従って、ここでは説明を省略する。
【０１８７】
（３−６−３．第６の実施形態による動作）
（３−６−３−１．撮影前の動作）
続いて、第６の実施形態による動作について説明する。最初に、第６の実施形態による撮影前の動作について説明する。図３０は、第６の実施形態による撮影前の動作の一部を示すシーケンス図である。
【０１８８】
図３０に示したように、まず、通信端末１０の所持者は、操作部１０６を介して条件設定部１０８に対して、アカウント、および日時に関する保護処理条件を設定する。そして、通信部１１０は、設定されたアカウント、日時、および当該日時に関する保護処理条件などを予定表管理サーバ４０へ送信する（Ｓ６０１）。
【０１８９】
続いて、予定表管理サーバ４０は、通信端末１０から受信されたアカウント、日時、および日時に関する保護処理条件などを対応づけて記憶する。
【０１９０】
続いて、通信端末１０の所持者は、Ｓ１０１と同様にして、操作部１０６を介して条件設定部１０８に対して、アカウント、および保護処理条件などの各種条件を設定する（Ｓ６０３）。次に、通信部１１０は、設定されたアカウント、および保護処理条件などの情報を撮影可否管理サーバ２０へ送信する（Ｓ６０５）。
【０１９１】
なお、Ｓ６０５より後の動作に関しては、第１の実施形態によるＳ１０５〜Ｓ１１３の動作と概略同様である。従って、ここでは説明を省略する。
【０１９２】
（３−６−３−２．撮影時の動作）
続いて、第６の実施形態による撮影時の動作について説明する。図３１は、第６の実施形態による撮影時の動作を示すシーケンス図である。なお、第１の実施形態によるＳ１２１〜Ｓ１２９の動作は、第３の実施形態でも概略同様であるので、図３１では記載を省略している。
【０１９３】
以後、Ｓ１２９より後の動作について説明する。Ｓ１２９の後、撮影可否管理サーバ２０の比較部２０４は、Ｓ１３１と同様にして、位置・環境状態記憶部２０２に記憶された通信端末１０の位置情報と、撮影端末３０から受信された撮影対象者の位置情報とを比較する（Ｓ６１１）。
【０１９４】
続いて、通信部２００は、比較部２０４により位置情報が一致する、または差分が所定の閾値未満であると判定されたアカウントに関して、予定表管理サーバ４０に対して、当該アカウントを送信するとともに、当該アカウントに対応する撮影対象者に関する、日時に関する保護処理条件の問い合わせを行う（Ｓ６１３）。
【０１９５】
続いて、予定表管理サーバ４０は、撮影可否管理サーバ２０から受信されるアカウントに関して、予定表管理サーバ４０に登録されている、日時に関する保護処理条件を抽出し、撮影可否管理サーバ２０へ送信する。
【０１９６】
続いて、撮影可否管理サーバ２０の条件判断部２０８は、比較部２０４により位置情報が一致する、または差分が所定の閾値未満であると判定されたアカウントに関して、予定表管理サーバ４０から受信された日時に関する保護処理条件と、撮影可否条件記憶部２０６に記憶された保護処理条件との２つの条件を、位置・環境状態記憶部２０２に記憶された環境状態が満たすか否かを判断する。そして、条件判断部２０８は、上記の判断の結果に応じて当該人物画像の保護処理を行うか否かを判断する（Ｓ６１７）。
【０１９７】
なお、Ｓ６１９以降の動作に関しては、第１の実施形態によるＳ１３５〜Ｓ１３９の動作と同様である。従って、ここでは説明を省略する。
【０１９８】
（３−６−４．第６の実施形態による効果）
以上説明したように、本開示の第６の実施形態によれば、通信端末１０の所持者は、予定表管理サーバ４０に対して、例えば撮影を許可する、もしくは許可しない日時など、日時に関する保護処理条件を設定する。また、撮影可否管理サーバ２０は、予定表管理サーバ４０から受信される日時に関する保護処理条件と、通信端末１０から受信される保護処理条件との２つの条件を、通信端末１０から受信される環境状態が満たすか否かを判断し、判断の結果に応じて、撮影対象者に対応する人物画像の保護処理を行うか否かを指示する情報を撮影端末３０へ送信する。上記の動作により、通信端末１０の所持者は、予定表管理サーバ４０に登録されている自己の予定表に対して、保護処理条件を設定することにより、日時に関する保護処理条件を容易に設定することができる。
【０１９９】
また、予定表管理サーバ４０に保護処理条件が設定されるので、仮に本人以外の者により通信端末１０が使用されたとしても、設定された保護処理条件が閲覧されたり、改ざんされるリスクが少ないという利点がある。
【０２００】
［３−７．第７の実施形態］
以上、第６の実施形態について説明した。次に第７の実施形態について説明する。後述するように、第７の実施形態によれば、通信端末１０の所持者は、保護処理条件として、所定のＳＮＳにおいて友人設定されているか否かという条件を設定することができる。
【０２０１】
（３−７−１．第７の実施形態による画像処理システムの基本構成）
図３２は、第７の実施形態による画像処理システムの基本構成について示した説明図である。図３２に示したように、第７の実施形態による画像処理システムは、第１の実施形態と比較して、ＳＮＳサーバ５０を新たに含む。
【０２０２】
（ＳＮＳサーバ５０）
ＳＮＳサーバ５０は、通信網１２に接続される機器により構成されるＳＮＳを管理するためのコンピュータである。このＳＮＳでは、ＳＮＳの参加者は、参加者の間で文字情報または画像情報を共有することができる。また、このＳＮＳでは、参加者は、他の参加者の属性に応じて、公開する情報の範囲を設定することができる。例えば、参加者は、「友人」と呼ばれる、参加者と親しい者には私的な情報を公開し、「友人」以外の者には私的な情報を公開しないように制御することができる。
【０２０３】
図３３は、ＳＮＳサーバ５０に登録される登録情報の一例を示した説明図である。図３３に示したように、ＳＮＳサーバ５０は、アカウント列５０００と、友人アカウント列５００２と、を対応づけて記憶してもよい。アカウント列５０００には、ＳＮＳサーバ５０により管理されるＳＮＳを利用するためのアカウントが登録される。また、友人アカウント列５００２には、アカウント列５０００の各ユーザに対して、当該ＳＮＳにおいて友人登録がされているアカウントが登録される。例えば、図３３の２行目に示したデータは、「Ｙａｍａｄａ」というＳＮＳアカウントを有する利用者に関して、友人アカウントとして、「Ｈａｎａｋｏ」、「Ｂｏｂ」、および「Ｓａｔｏｓｈｉ」が登録されていることを示している。
【０２０４】
（３−７−２．第７の実施形態による構成）
第７の実施形態による通信端末１０、撮影可否管理サーバ２０、および撮影端末３０の構成は、それぞれ第１の実施形態と同様である。従って、ここでは説明を省略する。
【０２０５】
（３−７−３．第７の実施形態による動作）
（３−７−３−１．撮影前の動作）
続いて、第７の実施形態による動作について説明する。最初に、第７の実施形態による撮影前の動作について説明する。図３４は、第７の実施形態による撮影前の動作の一部を示すシーケンス図である。
【０２０６】
図３４に示したように、まず、通信端末１０の所持者は、通信部１１０を介して、ＳＮＳサーバ５０に対して、ＳＮＳを利用するためのアカウント（以下、ＳＮＳアカウントと称する）を登録する（Ｓ７０１）。次に、通信端末１０の所持者は、ＳＮＳサーバ５０に対して、ＳＮＳにおける「友人」のアカウント（以下、友人アカウントと称する）を登録する（Ｓ７０３）。
【０２０７】
続いて、通信端末１０の所持者は、操作部１０６を介して条件設定部１０８に対して、ＳＮＳアカウント、および保護処理条件などの各種条件を設定する（Ｓ７０５）。次に、通信部１１０は、設定されたＳＮＳアカウント、および保護処理条件などの情報を撮影可否管理サーバ２０へ送信する（Ｓ７０７）。
【０２０８】
続いて、撮影可否管理サーバ２０の撮影可否条件記憶部２０６は、通信端末１０から受信されたＳＮＳアカウントと、保護処理条件とを対応づけて記憶する（Ｓ７０９）。例えば、図６に示した撮影可否条件記憶部２０６の例では、アカウント列２０６０に、受信されたＳＮＳアカウントが記憶される。
【０２０９】
なお、Ｓ７０９より後の動作に関しては、第１の実施形態によるＳ１０７〜Ｓ１１３の動作と比較して、アカウントとして「ＳＮＳアカウント」が用いられることは相違するが、その他の点に関しては概略同様である。従って、ここでは説明を省略する。
【０２１０】
（３−７−３−２．撮影時の動作）
続いて、第７の実施形態による撮影時の動作について説明する。図３５は、第７の実施形態による撮影時の動作を示すシーケンス図である。なお、第１の実施形態によるＳ１２１〜Ｓ１２５の動作は、第７の実施形態でも概略同様であるので、図３５では記載を省略している。
【０２１１】
Ｓ１２５の後、撮影対象者位置取得部３０４は、Ｓ１２７と同様にして、撮影画像に含まれる人物画像に対応する撮影対象者の位置情報を算出する（Ｓ７２１）。
【０２１２】
続いて、通信部３１０は、撮影者のＳＮＳアカウント、および算出された撮影対象者の位置情報などの情報を撮影可否管理サーバ２０へ送信する（Ｓ７２３）。
【０２１３】
続いて、撮影可否管理サーバ２０の比較部２０４は、Ｓ１３１と同様にして、位置・環境状態記憶部２０２に記憶された通信端末１０の位置情報と、撮影端末３０から受信された撮影対象者の位置情報とを比較する（Ｓ７２５）。そして、比較部２０４は、上記の比較により位置情報が一致する、または差分が所定の閾値未満であると判定した場合に、位置・環境状態記憶部２０２から撮影対象者のアカウント、つまり撮影対象者のＳＮＳアカウントを取得する（Ｓ７２７）。
【０２１４】
続いて、通信部２００は、比較部２０４により取得されたＳＮＳアカウント、および撮影端末３０から受信された撮影者のＳＮＳアカウントをＳＮＳサーバ５０へ送信するとともに、ＳＮＳサーバ５０における撮影者と撮影者対象者との関係性に関する登録内容を問い合わせする（Ｓ７２９）。例えば、通信部２００は、ＳＮＳサーバ５０において、撮影対象者のアカウントに対して、撮影者のアカウントが友人アカウントとして登録されているか否かを問い合わせする。
【０２１５】
続いて、ＳＮＳサーバ５０は、撮影可否管理サーバ２０から受信された撮影者のＳＮＳアカウントと撮影対象者のＳＮＳアカウントとに基づいて、撮影者と撮影対象者との関係性に関する登録内容を確認する。そして、ＳＮＳサーバ５０は、当該確認の結果、例えば撮影対象者に対して撮影者が友人登録されているか否かといった情報を撮影可否管理サーバ２０へ送信する（Ｓ７３１）。
【０２１６】
続いて、撮影可否管理サーバ２０の条件判断部２０８は、比較部２０４により位置情報が一致する、または差分が所定の閾値未満であると判定されたデータに関して、ＳＮＳにおける撮影者と撮影対象者との関係性に関する登録内容に関して予め設定された保護処理条件を、ＳＮＳサーバ５０から受信された問い合わせの応答結果が満たすか否かを判断する。例えば、条件判断部２０８は、撮影対象者に対して撮影者が友人登録されていないことを示す情報をＳＮＳサーバ５０から受信した場合には、保護処理条件を満たさないと判断してもよい。
【０２１７】
さらに、条件判断部２０８は、Ｓ１３３と同様にして、比較部２０４により位置情報が一致する、または差分が所定の閾値未満であると判定されたデータに関して、撮影可否条件記憶部２０６に記憶された保護処理条件を、位置・環境状態記憶部２０２に記憶された環境状態が満たすか否かを判断する。そして、条件判断部２０８は、上記の２つの判断の結果に応じて当該人物画像の保護処理を行うか否かを判断する（Ｓ７３３）。
【０２１８】
なお、Ｓ７３５以降の動作に関しては、第１の実施形態によるＳ１３５〜Ｓ１３９の動作と同様である。従って、ここでは説明を省略する。
【０２１９】
（３−７−４．第７の実施形態による効果）
以上説明したように、本開示の第７の実施形態によれば、撮影可否管理サーバ２０は、ＳＮＳサーバ５０に対して撮影者と撮影者対象者との関係性に関する登録内容を問い合わせをする。そして、撮影可否管理サーバ２０は、ＳＮＳサーバ５０から受信される当該問い合わせの応答結果が、予め通信端末１０により設定された保護処理条件を満たすか否かを判断し、判断の結果に応じて、撮影対象者に対応する人物画像の保護処理を行うか否かを指示する情報を撮影端末３０へ送信する。このため、通信端末１０の所持者は、保護処理条件として、ＳＮＳにおいて撮影者が友人設定されているか否かという条件を容易に設定することができる。
【０２２０】
また、通信端末１０の所持者は、ＳＮＳにおける撮影者と撮影対象者との関係性に関する登録内容に応じて、保護処理条件を変化させることができる。例えば、通信端末１０の所持者は、友人アカウントに対しては保護処理条件として「いつでも撮影可」と設定し、友人アカウント以外のアカウントに対しては保護処理条件として「平日のみ撮影可」と設定するなど、保護処理条件を変化させることができる。
【０２２１】
［３−８．第８の実施形態］
以上、第７の実施形態について説明した。次に第８の実施形態について説明する。後述するように、第８の実施形態によれば、通信端末１０の所持者が、撮影端末３０により一緒に撮影される範囲内に知人が位置するか否かを確認することができ、また、確認された知人に応じて保護処理条件を変化させることができる。
【０２２２】
（３−８−１．第８の実施形態による画像処理システムの基本構成）
図３６は、第８の実施形態による画像処理システムの基本構成について示した説明図である。図３６に示したように、第８の実施形態による画像処理システムは、第１の実施形態と比較して、位置共有サーバ６０および第２の通信端末７０を新たに含む。
【０２２３】
（位置共有サーバ６０）
位置共有サーバ６０は、通信網１２に接続される機器から送信される位置情報を記憶し、管理するためのコンピュータである。また、位置共有サーバ６０は、通信網１２に接続される機器により構成される所定のＳＮＳを管理する機能を有してもよい。図３７は、位置共有サーバ６０に登録される登録情報の一例を示した説明図である。図３７に示したように、位置共有サーバ６０は、アカウント列６０００と、位置情報列６００２と、友人アカウント列６００４と、を対応づけて記憶してもよい。アカウント列６０００には、第８の実施形態による画像処理システムを利用するためのアカウントが登録される。また、位置情報列６００２には、アカウント列６０００に登録された各アカウントに対応する利用者が有する通信端末から送信された位置情報が登録される。また、友人アカウント列６００４には、アカウント列６０００の各ユーザに対して、当該ＳＮＳにおいて友人登録がされているアカウントが登録される。例えば、図３７の２行目に示したデータは、アカウントが「Ｙａｍａｄａ」である利用者が利用する通信端末から位置情報として「（ｘ、ｙ）」が受信されたこと、および「Ｙａｍａｄａ」というアカウントを有する利用者に関して、友人アカウントとして、「Ｈａｎａｋｏ」、「Ｂｏｂ」、および「Ｓａｔｏｓｈｉ」が登録されていることを示している。
【０２２４】
（第２の通信端末７０）
第２の通信端末７０は、通信端末１０を所持する者以外の者によって所持される通信端末である。この第２の通信端末７０は、測位機能、無線通信機能、画面表示機能などを有する。なお、第２の通信端末７０の構成および機能は、通信端末１０と同じであってもよい。また、図３６では、第２の通信端末７０を一台だけしか記載していないが、原則として第２の通信端末７０は複数台存在し、また各端末は相異なる利用者によって利用されることを前提とする。
【０２２５】
（３−８−２．第８の実施形態による構成）
第８の実施形態による通信端末１０、撮影可否管理サーバ２０、および撮影端末３０の構成は、それぞれ第１の実施形態と同様である。従って、ここでは説明を省略する。
【０２２６】
（３−８−３．第８の実施形態による動作）
（３−８−３−１．撮影前の動作）
続いて、第８の実施形態による動作について説明する。最初に、第８の実施形態による撮影前の動作について説明する。図３８は、第８の実施形態による撮影前の動作の一部を示すシーケンス図である。
【０２２７】
図３８に示したように、まず、通信端末１０の所持者の操作により、位置情報取得部１００は、通信端末１０の位置情報を取得する（Ｓ８０１）。次に、通信部１１０は、通信端末１０の所持者が有するアカウント、および取得された位置情報を位置共有サーバ６０へ送信する（Ｓ８０３）。なお、当該アカウントは、位置共有サーバ６０により管理されるＳＮＳを利用するためのＳＮＳアカウントであってもよい。
【０２２８】
続いて、第２の通信端末７０は、例えば第２の通信端末７０が有する測位機能により、第２の通信端末７０の位置情報を取得する（Ｓ８０５）。次に、第２の通信端末７０は、第２の通信端末７０の所持者が有するアカウント、および取得された位置情報を位置共有サーバ６０へ送信する（Ｓ８０７）。なお、当該アカウントは、位置共有サーバ６０により管理されるＳＮＳを利用するためのＳＮＳアカウントであってもよい。
【０２２９】
続いて、通信端末１０の所持者が保護処理条件の設定を希望する場合に、通信端末１０の所持者による操作により、通信部１１０は、通信端末１０の所持者のアカウントを位置共有サーバ６０へ送信するとともに、知人の位置情報を問い合わせする（Ｓ８０９）。
【０２３０】
続いて、位置共有サーバ６０は、通信端末１０から受信されたアカウントに対応する友人アカウント、および各友人アカウントに対応する位置情報を抽出する。そして、位置共有サーバ６０は、友人アカウントと位置情報との組み合わせを通信端末１０へ送信する（Ｓ８１１）。
【０２３１】
続いて、通信端末１０の所持者は、位置共有サーバ６０から受信された位置情報を確認し、例えば一緒に撮影される範囲内に知人が位置するか否かを確認する。そして、通信端末１０の所持者は、この確認結果に基づいて、条件設定部１０８に対して、保護処理条件などの各種条件を設定する（Ｓ８１３）。例えば、通信端末１０の所持者は、一緒に撮影されることを望まない知人が、一緒に撮影される範囲内に位置することが確認された場合は、保護処理条件として「撮影不可」を設定することができる。
【０２３２】
なお、Ｓ８１３より後の動作に関しては、第１の実施形態によるＳ１０３〜Ｓ１１３の動作と概略同様である。従って、ここでは説明を省略する。
【０２３３】
（３−８−３−２．撮影時の動作）
第８の実施形態による撮影時の動作については、第１の実施形態と同様である。従って、ここでは説明を省略する。
【０２３４】
（３−８−４．第８の実施形態による効果）
以上説明したように、第８の実施形態によれば、通信端末１０は、通信端末１０の所持者のアカウントを位置共有サーバ６０へ送信するとともに、通信端末１０の所持者の知人の位置情報を問い合わせする。また、位置共有サーバ６０は、通信端末１０から受信されたアカウントに対応する友人アカウントおよび当該友人アカウントに対応する位置情報を抽出し、そして、友人アカウントと位置情報との組み合わせを通信端末１０へ送信する。このため、通信端末１０の所持者は、一緒に撮影される範囲内に知人が位置するか否かを確認することができ、また、確認された知人に応じて保護処理条件を変化させることができる。
【０２３５】
［３−９．第９の実施形態］
以上、本開示の第８の実施形態について説明した。上述したように、第８の実施形態では、通信端末１０は、「知人」の位置情報を位置共有サーバ６０に対して問い合わせする。次に説明するように、第９の実施形態によれば、通信端末１０は、周囲に位置する第２の通信端末７０に対して、「知人」の通信端末であるか否かを、機器間通信により問い合わせすることができる。
【０２３６】
（３−９−１．第９の実施形態による画像処理システムの基本構成）
図３９は、本開示の第９の実施形態による画像処理システムの基本構成について示した説明図である。図３９に示したように、第９の実施形態による画像処理システムは、第８の実施形態と比較して、位置共有サーバ６０を含まない点が相違する。
【０２３７】
（３−９−２．第９の実施形態による構成）
第９の実施形態による通信端末１０、撮影可否管理サーバ２０、および撮影端末３０の構成は、それぞれ第１の実施形態と同様である。従って、ここでは説明を省略する。
【０２３８】
（３−９−３．第９の実施形態による動作）
（３−９−３−１．撮影前の動作）
続いて、第９の実施形態による動作について説明する。最初に、第９の実施形態による撮影前の動作について説明する。図４０は、第９の実施形態による撮影前の動作の一部を示すシーケンス図である。
【０２３９】
図４０に示したように、まず、通信端末１０の所持者の操作により、通信部１１０は、機器間通信により、例えばインターネットなどの通信網１２経由で、周囲に位置する第２の通信端末７０に対して、「知人」の通信端末であるか否か（以下、「友人関係の有無」と称する）を問い合わせる（Ｓ９０１）。ここで、通信部１１０は、操作部１０６に対して入力された、通信端末１０の所持者のアカウントを周囲に送信することにより、「友人関係の有無」を問い合わせてもよい。
【０２４０】
続いて、第２の通信端末７０が通信端末１０から「友人関係の有無」の問い合わせを受信すると、第２の通信端末７０は、第２の通信端末７０の所持者のアカウントと、通信端末１０から受信されたアカウントとを所定のＳＮＳサーバへ送信し、友人関係の有無を確認する。次に、第２の通信端末７０は、当該ＳＮＳサーバから受信される確認結果を、通信端末１０からの問い合わせに対する応答として、機器間通信により通信端末１０へ送信する。また、当該問い合わせに対する応答が「友人関係有り」である場合は、第２の通信端末７０は、自己のアカウントも一緒に送信する（Ｓ９０３）。
【０２４１】
なお、Ｓ９０３の変形例として、第２の通信端末７０は、所定のＳＮＳサーバに友人関係の有無を確認する代わりに、友人関係リストを自端末に記憶してもよい。この変形例では、第２の通信端末７０は、当該友人関係リストに基づいて、通信端末１０からの問い合わせに対する応答を機器間通信により通信端末１０へ送信する。
【０２４２】
続いて、通信端末１０の所持者は、第２の通信端末７０から受信された「友人関係の有無」の応答およびアカウントを確認し、周囲に知人が位置するか否かを確認する。そして、通信端末１０の所持者は、この確認結果に基づいて、条件設定部１０８に対して、保護処理条件などの各種条件を設定する（Ｓ９０５）。例えば、通信端末１０の所持者は、一緒に撮影されることを望まない知人が、周囲に位置することが確認された場合は、保護処理条件として「撮影不可」を設定することができる。
【０２４３】
なお、Ｓ９０５より後の動作に関しては、第１の実施形態によるＳ１０３〜Ｓ１１３の動作と概略同様である。従って、ここでは説明を省略する。
【０２４４】
（３−９−３−２．撮影時の動作）
第９の実施形態による撮影時の動作については、第１の実施形態と同様である。従って、ここでは説明を省略する。
【０２４５】
（３−９−４．第９の実施形態による効果）
以上説明したように、本開示の第９の実施形態によれば、通信端末１０は、機器間通信により、周囲に位置する第２の通信端末７０に対して「友人関係の有無」を問い合わせ、第２の通信端末７０から「友人関係の有無」の応答およびアカウントを受信する。このため、通信端末１０の所持者は、周囲に知人が位置するか否かを確認することができ、また、確認された知人に応じて保護処理条件を変化させることができる。
【０２４６】
また、第９の実施形態では、第８の実施形態と比べて、第２の通信端末７０により位置共有サーバ６０へ位置情報がアップロードされる必要がないこと、および位置共有サーバ６０が設置されていないシステムにも適用可能であることなどの利点がある。
【０２４７】
［３−１０．第１０の実施形態］
以上、第９の実施形態について説明した。次に第１０の実施形態について説明する。後述するように、第１０の実施形態によれば、通信端末１０の所持者は、撮影後の撮影画像に関して、撮影端末３０による閲覧時に、当該撮影画像に含まれる自己の画像に対する保護処理を撮影端末３０に実施させることができる。
【０２４８】
（３−１０−１．第１０の実施形態による構成）
図４１は、第１０の実施形態による撮影可否管理サーバ２０の構成を示した機能ブロック図である。図４１に示したように、第１０の実施形態による撮影可否管理サーバ２０は、第１の実施形態と比較して、問い合わせＩＤ記憶部２１２を新たに含む。ここで、問い合わせＩＤとは、各撮影画像に含まれる各人物画像に対して一意に割り当てられる識別子である。つまり、問い合わせＩＤは、撮影画像ごとに異なり、かつ、各撮影画像に含まれる人物領域（人物画像）ごとに異なるように割り当てられるＩＤである。
【０２４９】
第１０の実施形態による条件判断部２０８は、第１の実施形態による条件判断部２０８と同様の機能を有する。さらに、第１０の実施形態による条件判断部２０８は、問い合わせＩＤ記憶部２１２に記録された問い合わせＩＤを参照し、すでに割り当てられたＩＤと異なるようなＩＤを、各人物画像に対して付与する。
【０２５０】
問い合わせＩＤ記憶部２１２は、条件判断部２０８により決定された問い合わせＩＤと、当該問い合わせＩＤに対応する人物画像に対応する撮影対象者のアカウントと、当該撮影対象者の撮影可否条件と、当該人物画像の閲覧可否条件（保護処理条件）と、を対応づけて記憶する。また、問い合わせＩＤ記憶部２１２は、上記に加えて、例えば撮影日時や一緒に撮影されている人物のアカウントなど、撮影画像を特定するための情報を、問い合わせＩＤにさらに対応づけて記憶してもよい。
【０２５１】
図４２は、問い合わせＩＤ記憶部２１２の構成の一例を示した説明図である。図４２に示したように、問い合わせＩＤ記憶部２１２は、問い合わせＩＤ列２１２０と、アカウント列２１２２と、撮影可否条件列２１２４と、閲覧可否条件列２１２６と、を対応づけて記憶してもよい。問い合わせＩＤ列２１２０には、一枚の撮影画像に含まれる各人物画像に対して決定された問い合わせＩＤが登録される。また、アカウント列２１２２には、問い合わせＩＤ列２１２０の各値に対応する人物画像に対応する撮影対象者のアカウントが登録される。また、撮影可否条件列２１２４には、当該人物画像に対して設定された撮影可否に関する条件が登録される。また、閲覧可否条件列２１２６には、当該人物画像に対して設定された閲覧可否に関する条件が登録される。例えば、図４２の２行目に示したデータは、問い合わせＩＤが「３１２４」である人物画像に関して、当該人物画像に対応する撮影対象者のアカウントとして「Ｙａｍａｄａ」、当該撮影対象者の撮影可否条件として「移動中は不可」、当該人物画像の閲覧可否条件として「常に不可」、がそれぞれ登録されていることを示している。
【０２５２】
なお、撮影可否管理サーバ２０におけるその他の構成要素の機能に関しては、第１の実施形態と同様である。
【０２５３】
また、第１０の実施形態による通信端末１０、および撮影端末３０の構成は、それぞれ第１の実施形態と同様である。従って、ここでは説明を省略する。
【０２５４】
（３−１０−３．第１０の実施形態による動作）
（３−１０−３−１．撮影前の動作）
続いて、第１０の実施形態による動作について説明する。最初に、第１０の実施形態による撮影前の動作について説明する。
【０２５５】
第１０の実施形態による撮影前の動作は、第１の実施形態と概略同様であるが、Ｓ１０１における条件設定に関して特徴を有する。第１０の実施形態では、通信端末１０の所持者は、Ｓ１０１において保護処理条件として、仮の条件を設定しておくとともに、撮影端末３０による撮影後に、撮影端末３０による閲覧に関する条件をあらためて設定してもよい。例えば、通信端末１０の所持者は、Ｓ１０１において、例えば「閲覧時に確認要」のように仮の条件を設定することができる。
【０２５６】
（３−１０−２−２．撮影時の動作）
続いて、第１０の実施形態による撮影時の動作について説明する。図４３は、第１０の実施形態による撮影時の動作の一部を示すシーケンス図である。なお、第１の実施形態によるＳ１２１〜Ｓ１３１の動作は、第１０の実施形態でも概略同様であるので、図４３では記載を省略している。
【０２５７】
以後、Ｓ１３１より後の動作について説明する。Ｓ１３１の後、撮影可否管理サーバ２０の条件判断部２０８は、Ｓ１３３と同様にして、撮影画像に含まれる各人物画像の保護処理を行うか否かを判断する（Ｓ１００１）。
【０２５８】
続いて、条件判断部２０８は、まず、問い合わせＩＤ記憶部２１２に記録された問い合わせＩＤを参照し、当該人物画像に対する、他の人物画像と識別可能な問い合わせＩＤを決定する。次に、問い合わせＩＤ記憶部２１２は、条件判断部２０８により決定された問い合わせＩＤと、当該人物画像に対応する撮影対象者のアカウントと、当該人物画像の保護処理条件と、を対応づけて記憶する（Ｓ１００３）。
【０２５９】
なお、Ｓ１００３の変形例として、条件判断部２０８は、例えば保護処理条件として「閲覧時に確認要」と設定されているアカウントに対してのみ、問い合わせＩＤを発行してもよい。また、例えば動画撮影のように、撮影端末３０により連続撮影が行われた場合には、条件判断部２０８は、同一の撮影対象者の人物画像に対しては同一の問い合わせＩＤを決定し、そして、連続撮影された各撮影画像と当該問い合わせＩＤとを対応づけて記憶してもよい。
【０２６０】
続いて、通信部２００は、比較部２０４により位置情報が一致する、または差分が所定の閾値未満であると判定されたアカウントに関して、問い合わせＩＤと撮影可否条件とを撮影端末３０へ送信する（Ｓ１００５）。そして、通信部２００は、撮影通知を通信端末１０へ送信する（Ｓ１００７）。なお、撮影通知の内容に関しては、第１の実施形態と同様であってもよい。
【０２６１】
続いて、撮影端末３０の撮像部３００は、撮影可否管理サーバ２０から受信された撮影可否条件に基づいて、当該撮影画像を撮影する（Ｓ１００９）。そして、記憶部３１６は、撮影可否管理サーバ２０から受信された、当該撮影画像に含まれる各人物画像に対応する問い合わせＩＤと、当該人物画像の画素領域と、当該撮影画像と、を対応づけて記憶する（Ｓ１０１１）。
【０２６２】
（３−１０−２−３．閲覧可否条件の変更時の動作）
続いて、第１０の実施形態による閲覧可否条件の変更時の動作について説明する。なお、この閲覧可否条件の変更は、例えば、通信端末１０の所持者により、撮影された撮影画像に対して閲覧に関する条件の変更を希望する場合に実施される。
【０２６３】
図４４は、第１０の実施形態による閲覧可否条件の変更時の動作の一部を示すシーケンス図である。図４４に示したように、まず、通信端末１０の所持者は、例えば撮影日時など、閲覧可否条件の変更を希望する撮影画像を特定するための条件（指定条件）を条件設定部１０８に対して設定する。次に、通信部１１０は、アカウントと、設定された指定条件と、を撮影可否管理サーバ２０へ送信する（Ｓ１０２１）。
【０２６４】
続いて、撮影可否管理サーバ２０の問い合わせＩＤ記憶部２１２は、通信端末１０から受信されたアカウントおよび指定条件に基づいて、対応する問い合わせＩＤを抽出する（Ｓ１０２３）。次に、通信部２００は、抽出された問い合わせＩＤを通信端末１０へ送信する（Ｓ１０２５）。
【０２６５】
続いて、通信端末１０の所持者は、操作部１０６を介して条件設定部１０８に対して、撮影可否管理サーバ２０から受信された問い合わせＩＤに対応する撮影画像に関して、すでに設定された閲覧可否条件の設定を変更する（Ｓ１０２７）。ここで、上述した閲覧可否条件の設定は、通信端末１０の代わりに、通信網１２に接続されるＰＣなどの他の装置を用いて行われてもよい。
【０２６６】
続いて、通信部１１０は、当該問い合わせＩＤと、Ｓ１０２７で設定された閲覧可否条件と、を撮影可否管理サーバ２０へ送信する（Ｓ１０２９）。
【０２６７】
続いて、撮影可否管理サーバ２０の問い合わせＩＤ記憶部２１２は、通信端末１０から受信された問い合わせＩＤに対応づけて記憶されている閲覧可否条件を、通信端末１０から受信された閲覧可否条件で更新して、記憶する（Ｓ１０３１）。
【０２６８】
なお、通信端末１０の所持者が希望する場合は、Ｓ１０２１〜Ｓ１０３１の動作は複数回繰り返されてもよい。
【０２６９】
（３−１０−２−４．閲覧時の動作）
続いて、第１０の実施形態による閲覧時の動作について説明する。図４５は、第１０の実施形態による閲覧時の動作を示すシーケンス図である。
【０２７０】
図４５に示したように、まず、撮影端末３０の利用者は、操作部３２０を介して、記憶部３１６に記憶された撮影画像の中から、閲覧を希望する画像を選択する。次に、記憶部３１６は、選択された撮影画像に含まれる人物画像に関して、当該人物画像に対応づけて記憶された問い合わせＩＤを読み出す。そして、通信部３１０は、読み出された問い合わせＩＤと、当該人物画像に対する閲覧可否の問い合わせと、を撮影可否管理サーバ２０へ送信する（Ｓ１０４１）。
【０２７１】
続いて、撮影可否管理サーバ２０の問い合わせＩＤ記憶部２１２は、撮影端末３０から受信された問い合わせＩＤに基づいて、当該問い合わせＩＤに対応づけて記憶されている閲覧可否条件を読み出す。次に、条件判断部２０８は、問い合わせＩＤ記憶部２１２により読み出された閲覧可否条件を、位置・環境状態記憶部２０２に記憶された環境状態が満たすか否かを判断する。そして、条件判断部２０８は、上記の判断の結果に応じて当該人物画像の閲覧可否を判断する（Ｓ１０４３）。
【０２７２】
続いて、通信部２００は、条件判断部２０８により判断された閲覧可否を撮影端末３０へ送信する（Ｓ１０４５）。ここで、通信部２００は、例えば「アイコンＡで置き換え」のような、当該人物画像の保護処理条件（閲覧条件）をさらに撮影端末３０へ送信してもよい。
【０２７３】
なお、Ｓ１０４１〜Ｓ１０４５の動作は、当該撮影画像に対応づけて記憶部３１６に記憶された問い合わせＩＤの数だけ繰り返される。つまり、Ｓ１０４１〜Ｓ１０４５の動作は、原則として、当該撮影画像に含まれる人物画像の数だけ繰り返される。
【０２７４】
続いて、撮影端末３０は、撮影可否管理サーバ２０から受信された、各人物画像に対する閲覧可否に基づいて、閲覧処理を行う（Ｓ１０４７）。
【０２７５】
‐閲覧処理の第１の動作例‐
ここで、図４６および図４７を参照して、Ｓ１０４７の動作を詳細に説明する。図４６は、Ｓ１０４７における閲覧処理の第１の動作例を示すフローチャートである。なお、以下に述べるように、第１の動作例では、撮影端末３０により人物画像の閲覧が可能でないと判断された場合には、撮影端末３０は、撮影画像に含まれる当該人物画像に対してマスク処理を施して、表示する。
【０２７６】
図４６に示したように、第１の動作例では、まず、判断部３１２は、撮影可否管理サーバ２０から受信された、各人物画像に対する閲覧可否に基づいて、各人物画像の閲覧が可能であるか否かを判断する（Ｓ１０５１）。
【０２７７】
判断部３１２により、当該撮影画像に含まれる全ての人物画像の閲覧が可能であると判断された場合は（Ｓ１０５１：Ｙｅｓ）、表示部３１８は、当該撮影画像を記憶部３１６から読み出して、表示する（Ｓ１０５５）。
【０２７８】
一方、判断部３１２により、当該撮影画像に含まれる一つ以上の人物画像に関して閲覧が可能でないと判断された場合は（Ｓ１０５１：Ｎｏ）、マスク部３１４は、当該撮影画像を記憶部３１６から読み出し、そして、閲覧が可能でないと判断された人物画像に対して、当該人物画像の保護処理条件に基づいてマスク処理を施す（Ｓ１０５３）。例えば、判断部３１２により閲覧が可能でないと判断された一つの人物画像に関して、当該人物画像の保護処理条件として「アイコンＡで置き換え」という条件が設定されている場合は、マスク部３１４は、当該人物画像に対して「アイコンＡで置き換え」する画像処理を施す。
【０２７９】
続いて、表示部３１８は、マスク部３１４によりマスク処理を施された撮影画像を表示する（Ｓ１０５５）。
【０２８０】
‐閲覧処理の第２の動作例‐
また、図４７は、Ｓ１０４７における閲覧処理の第２の動作例を示すフローチャートである。なお、以下に述べるように、第２の動作例では、撮影端末３０により撮影画像に含まれる一つ以上の人物画像の閲覧が可能でないと判断された場合は、撮影端末３０は、当該撮影画像を表示しない。
【０２８１】
図４７に示したように、第２の動作例では、まず、判断部３１２は、Ｓ１０５１と同様にして、撮影可否管理サーバ２０から受信された、各人物画像に対する閲覧可否に基づいて、各人物画像の閲覧が可能であるか否かを判断する（Ｓ１０６１）。
【０２８２】
判断部３１２により、当該撮影画像に含まれる全ての人物画像の閲覧が可能であると判断された場合は（Ｓ１０６１：Ｙｅｓ）、表示部３１８は、Ｓ１０５５と同様にして、当該撮影画像を表示する（Ｓ１０６３）。
【０２８３】
一方、判断部３１２により当該撮影画像に含まれる少なくとも一つの人物画像の閲覧が可能でないと判断された場合は（Ｓ１０６１：Ｎｏ）、表示部３１８は、閲覧不可である旨を表示する（Ｓ１０６５）。
【０２８４】
（３−１０−３．第１０の実施形態による効果）
以上説明したように、本開示の第１０の実施形態によれば、撮影可否管理サーバ２０は、撮影端末３０から受信される問い合わせＩＤに基づいて、当該問い合わせＩＤに対応づけて記憶された閲覧可否条件を読み出し、読み出された閲覧可否条件に基づいて当該問い合わせＩＤに対応する人物画像の閲覧可否を判定する。そして、撮影可否管理サーバ２０は、当該判定の結果を撮影端末３０へ送信する。このため、通信端末１０の所持者は、撮影後の撮影画像に関して、撮影端末３０による閲覧時に、当該撮影画像に含まれる自己の画像に対する保護処理を撮影端末３０に実施させることができる。
【０２８５】
例えば、通信端末１０の所持者は、撮影端末３０による撮影前または撮影後に、自己の画像を他者が閲覧することが可能な期間を制限することができる。また、通信端末１０の所持者は、撮影後に、他者により自己の画像を閲覧されることを望まなくなった場合には、閲覧可否条件を変更することにより、撮影端末３０などによる撮影画像の閲覧を禁止することができる。
【０２８６】
また、通信端末１０の所持者は、保護処理条件として、例えばモザイク化などのマスク処理の方法を指定することにより、撮影端末３０に対して、自己の画像を特定困難な形式で表示させるように制御することができる。
【０２８７】
［３−１１．第１１の実施形態］
以上、第１０の実施形態について説明した。次に第１１の実施形態について説明する。後述するように、第１１の実施形態によれば、通信端末１０の所持者は、撮影端末３０により撮影された自己の撮影画像に関して、撮影端末３０に削除を要求することができる。例えば、通信端末１０の所持者は、一緒に撮影されることを望まない知人が自分と一緒に撮影された場合に、撮影された撮影画像の削除を撮影端末３０に要求することができる。
【０２８８】
（３−１１−１．第１１の実施形態による画像処理システムの基本構成）
第１１の実施形態による画像処理システムの基本構成は、第９の実施形態と同様である。従って、ここでは説明を省略する。
【０２８９】
（３−１１−２．第１１の実施形態による構成）
（３−１１−２−１．撮影可否管理サーバ２０）
第１１の実施形態による位置・環境状態記憶部２０２は、通信端末１０から受信されるアカウント、位置情報に加えて、環境状態の一つとして、例えば（通信端末１０の所持者と）一緒にいる知人のアカウントなどの各種詳細情報を対応づけて記憶してもよい。ここで、アカウントおよび一緒にいる知人のアカウントは、所定のＳＮＳを利用するためのアカウントであってもよい。
【０２９０】
図４８は、第１１の実施形態による位置・環境状態記憶部２０２の構成の一例を示した説明図である。図４８に示したように、位置・環境状態記憶部２０２は、アカウント列２０２０と、位置情報列２０２２と、環境状態（移動状態）列２０２４と、環境状態（一緒にいる友人のアカウント）列２０２６とを対応づけて記憶してもよい。例えば、図４８の３行目に示したデータは、アカウントが「Ｈａｎａｋｏ」である所持者が利用する通信端末１０から、位置情報として「（ａ、ｂ）」、移動状態として「静止中」、一緒にいる知人のアカウントとして「Ａｉ」がそれぞれ受信されたことを示している。
【０２９１】
また、第１１の実施形態による問い合わせＩＤ記憶部２１２は、条件判断部２０８により決定される問い合わせＩＤ、撮影対象者のアカウント、当該撮影対象者の撮影時における位置情報に加えて、例えば撮影日時、移動状態、一緒にいる友人のアカウント、撮影端末３０の機器ＩＤ、撮影距離、人物画像の画像サイズなどの各種詳細情報を対応づけて記憶してもよい。
【０２９２】
図４９は、第１１の実施形態による問い合わせＩＤ記憶部２１２の構成の一例を示した説明図である。図４９に示したように、問い合わせＩＤ記憶部２１２は、例えば、問い合わせＩＤ列２１３０、アカウント列２１３１と、日時列２１３２、位置情報列２１３３、環境状態（移動状態）列２１３４、環境状態（一緒にいる友人アカウント）列２１３５、撮影機器ＩＤ列２１３６、距離列２１３７、および画像サイズ２１３８を対応づけて記憶してもよい。なお、問い合わせＩＤ列２１３０には、人物画像に対して決定された問い合わせＩＤが登録される。また、アカウント列２１３１には、問い合わせＩＤ列２１３０の各値に対応する人物画像に対応する撮影対象者のアカウントが登録される。また、日時列２１３２には、当該人物画像（が含まれる撮影画像）を撮影した日時が登録される。また、位置情報列２１３３には、当該人物画像に対応する撮影対象者の撮影時における位置情報が登録される。また、環境状態（移動状態）列２１３４には、当該撮影対象者の撮影時における移動状態が登録される。また、環境状態（一緒にいる友人アカウント）列２１３５には、当該撮影画像の撮影時において撮影対象者と一緒にいる知人のアカウントが登録される。また、撮影機器ＩＤ列２１３６には、当該撮影画像を撮影した撮影端末３０の機器ＩＤが登録される。また、距離列２１３７には、当該撮影画像の撮影時における、撮影端末３０から撮影対象者までの撮影距離が登録される。また、画像サイズ列２１３８には、当該人物画像の画像サイズが登録される。
【０２９３】
例えば、図４９の３行目に示したデータは、問い合わせＩＤが「６５８０」である人物画像に関して、当該人物画像に対応する撮影対象者のアカウントとして「Ｈａｎａｋｏ」、撮影日時として「２０１２／１２／３１」、撮影時における当該撮影対象者の位置情報として「（ａ、ｂ）」、撮影時における当該撮影対象者の移動状態として「静止中」、撮影時において当該撮影対象者と一緒にいる知人のアカウントとして「Ａｉ」、撮影端末３０の機器ＩＤとして「Ｅ３８６７」、撮影時における撮影端末３０から当該撮影対象者までの撮影距離として「１．５ｍ」、当該人物画像の画像サイズとして「１６０×３００ピクセル」が、それぞれ登録されていることを示している。
【０２９４】
なお、撮影可否管理サーバ２０におけるその他の構成要素の機能に関しては、第１の実施形態と同様である。
【０２９５】
また、第１１の実施形態による通信端末１０、および撮影端末３０の構成は、それぞれ第１の実施形態と同様である。従って、ここでは説明を省略する。
【０２９６】
（３−１１−３．第１１の実施形態による動作）
（３−１１−３−１．撮影前の動作）
続いて、第１１の実施形態による動作について説明する。最初に、第１１の実施形態による撮影前の動作について説明する。図５０は、第１１の実施形態による撮影前の動作の一部を示すシーケンス図である。なお、第１の実施形態によるＳ１０１〜Ｓ１０５の動作は、第１１の実施形態でも概略同様であるので、図５０では記載を省略している。
【０２９７】
以後、Ｓ１０５より後の動作について説明する。Ｓ１０５の後、通信端末１０の位置情報取得部１００は、Ｓ１０７と同様にして、通信端末１０の位置情報を取得する。また、センサ情報取得部１０２は、Ｓ１０７と同様にして、通信端末１０の加速度、通信端末１０の角度、気圧、地磁気などの各種のセンサ情報を取得する（Ｓ１１０１）。
【０２９８】
続いて、通信端末１０の所持者による操作により、通信部１１０は、通信端末１０の所持者のアカウントを位置共有サーバ６０へ送信するとともに、当該知人の位置情報を問い合わせする（Ｓ１１０３）。
【０２９９】
続いて、位置共有サーバ６０は、通信端末１０から受信されたアカウントに対応する友人アカウント、および各友人アカウントに対応する位置情報を抽出する。そして、位置共有サーバ６０は、友人アカウントと位置情報との組み合わせを通信端末１０へ送信する（Ｓ１１０５）。
【０３００】
続いて、環境状態認識部１０４は、取得された位置情報および取得されたセンサ情報に基づいて、通信端末１０の所持者の移動状態を判定する。また、環境状態認識部１０４は、位置共有サーバ６０から受信された友人アカウントの中から、一緒に撮影される範囲内にいる知人のアカウントを抽出する（Ｓ１１０７）。そして、通信部１１０は、Ｓ１０１で設定されたアカウントと、Ｓ１１０１で取得された位置情報と、Ｓ１１０７で判定された環境状態（移動状態）と、Ｓ１１０７で抽出された環境状態（一緒にいる知人のアカウント）と、を撮影可否管理サーバ２０へ送信する（Ｓ１１０９）。
【０３０１】
続いて、撮影可否管理サーバ２０の位置・環境状態記憶部２０２は、受信されたアカウントと、位置情報と、環境状態（移動状態）と、環境状態（一緒にいる知人のアカウント）と、を対応づけて記憶する（Ｓ１１１１）。
【０３０２】
その後、Ｓ１１０１〜Ｓ１１１１の動作は所定の時間間隔で繰り返される。なお、変形例として、Ｓ１１０１〜Ｓ１１１１の動作は、所定の時間間隔で繰り返される代わりに、センサ情報取得部１０２が通信端末１０の移動を検知するたびに繰り返されてもよい。
【０３０３】
（３−１１−３−２．撮影時の動作）
続いて、第１１の実施形態による撮影時の動作について説明する。図５１は、第１１の実施形態による撮影時の動作の一部を示すシーケンス図である。なお、第１の実施形態によるＳ１２１〜Ｓ１３３の動作は、第１１の実施形態でも概略同様であるので、図５１では記載を省略している。
【０３０４】
以後、Ｓ１３３より後の動作について説明する。Ｓ１３３の後、撮影可否管理サーバ２０の通信部２００は、Ｓ１３５と同様にして、比較部２０４により位置情報が一致する、または差分が所定の閾値未満であると判定されたアカウントに関して、当該アカウントに対応する人物画像の保護処理を行うか否かを指示する情報と、を撮影端末３０へ送信する（Ｓ１１２１）。
【０３０５】
続いて、撮影端末３０の撮像部３００は、当該撮影画像を撮影する（Ｓ１１２３）。
【０３０６】
続いて、判断部３１２は、撮影可否管理サーバ２０から受信された、各人物画像の保護処理を行うか否かを指示する情報に基づいて、各人物画像に対応する撮影対象者に関して撮影が可能であるか否かを判断する。次に、マスク部３１４は、判断部３１２による判断の結果に基づいて、撮像部３００により撮影された撮影画像に含まれる各人物画像に対してマスク処理を施す（Ｓ１１２５）。なお、変形例として、Ｓ１１２５の動作は実施されなくてもよい。
【０３０７】
続いて、通信部３１０は、撮影が終了した旨の通知を撮影可否管理サーバ２０へ送信する（Ｓ１１２７）。
【０３０８】
続いて、条件判断部２０８は、当該撮影画像に含まれる各人物画像に関して、まず、問い合わせＩＤ記憶部２１２に記録された問い合わせＩＤを参照し、当該人物画像に対する、他の人物画像と識別可能な問い合わせＩＤを決定する。次に、問い合わせＩＤ記憶部２１２は、条件判断部２０８により決定された問い合わせＩＤと、当該人物画像に対応する撮影対象者のアカウントと、当該人物画像の保護処理条件と、を対応づけて記憶する（Ｓ１１２９）。
【０３０９】
続いて、通信部２００は、条件判断部２０８により決定された問い合わせＩＤを撮影端末３０へ送信する（Ｓ１１３１）。
【０３１０】
続いて、撮影端末３０の記憶部３１６は、撮像部３００により撮影された撮影画像と、撮影可否管理サーバ２０から受信された問い合わせＩＤと、当該問い合わせＩＤに対応する人物画像の画素領域と、を対応づけて記憶する（Ｓ１１３３）。
【０３１１】
（３−１１−３−３．撮影画像の削除時の動作）
続いて、第１１の実施形態による撮影画像の削除時の動作について説明する。図５２は、第１１の実施形態による撮影画像の削除時を示すシーケンス図である。
【０３１２】
図５２に示したように、まず、通信端末１０の所持者は、自己が撮影された撮影画像の削除を希望する場合は、操作部１０６を介して条件設定部１０８に対して、削除条件を設定する。次に、通信部１１０は、設定された削除条件、および撮影画像の削除要求を撮影可否管理サーバ２０へ送信する（Ｓ１１４１）。
【０３１３】
続いて、撮影可否管理サーバ２０の問い合わせＩＤ記憶部２１２は、通信端末１０から受信された削除条件に該当する撮影画像が存在するか否かを判定する。そして、問い合わせＩＤ記憶部２１２は、該当する撮影画像に対応する問い合わせＩＤを全て取得する（Ｓ１１４３）。例えば、図４９に示した例において、通信端末１０から削除条件として「撮影日時が２０１２／１２／３１」という条件が受信された場合は、問い合わせＩＤ記憶部２１２は、日時列２１３２に「２０１２／１２／３１」が登録されているデータ行を全て抽出し、抽出されたデータ行における問い合わせＩＤ列２１３０の値を取得する。
【０３１４】
続いて、問い合わせＩＤ記憶部２１２は、取得された全ての問い合わせＩＤに対応する撮影端末３０を特定する（Ｓ１１４５）。より具体的には、問い合わせＩＤ記憶部２１２は、当該問い合わせＩＤに対応づけて記憶された、撮影端末３０の機器ＩＤを特定する。
【０３１５】
続いて、通信部２００は、Ｓ１１４５により特定された全ての撮影端末３０に対して、それぞれの撮影端末３０に対応する問い合わせＩＤと、当該問い合わせＩＤが付与された人物画像（が含まれる撮影画像）に対する削除要求と、を送信する（Ｓ１１４７）。
【０３１６】
続いて、撮影端末３０の記憶部３１６は、撮影可否管理サーバ２０から受信された問い合わせＩＤに対応する撮影画像を特定する（Ｓ１１４８）。そして、記憶部３１６は、特定された撮影画像を記憶部３１６から削除する（Ｓ１１４９）。
【０３１７】
（３−１１−４．第１１の実施形態による効果）
以上説明したように、第１１の実施形態によれば、撮影可否管理サーバ２０は、撮影可否管理サーバ２０に記憶された問い合わせＩＤの中から、通信端末１０から受信される削除条件に該当する問い合わせＩＤを特定し、そして、特定された問い合わせＩＤに対応する撮影端末３０に対して、当該問い合わせＩＤおよび当該問い合わせＩＤに対応する撮影画像の削除要求を送信する。また、撮影端末３０は、撮影可否管理サーバ２０から問い合わせＩＤおよび削除要求が受信された場合に、当該問い合わせＩＤに対応する撮影画像を削除する。このため、通信端末１０の所持者は、撮影端末３０により撮影された自己の撮影画像を撮影端末３０に削除させることができる。
【０３１８】
また、第１１の実施形態による撮影可否管理サーバ２０は、例えば撮影日時、位置情報、移動状態、一緒にいる友人のアカウント、撮影端末３０の機器ＩＤ、撮影距離、および人物画像の画像サイズなどの各種詳細情報を問い合わせＩＤに対応づけて記憶している。このため、通信端末１０の所持者は、削除条件を詳細に設定することができる。例えば、特定の日時において、一緒に撮影されることを望まない知人が自分と一緒に撮影された場合に、通信端末１０の所持者は、削除条件として撮影日時および一緒にいる友人のアカウントを設定することにより、この削除条件に該当する撮影画像のみを削除するように、撮影端末３０に要求することができる。
【０３１９】
＜４．まとめ＞
以上説明したように、本開示の第１の実施形態〜第１１の実施形態によれば、撮影可否管理サーバ２０は、通信端末１０から受信される通信端末１０の位置情報と、撮影端末３０から受信される、撮影画像に含まれる人物画像に対応する撮影対象者の位置情報とを比較し、比較の結果に応じて当該人物画像の保護処理を行うか否かを指示する情報を撮影端末３０へ送信する。このため、撮影対象者は、プライバシー保護の要求を撮影画像に反映させることができる。
【０３２０】
＜５．変形例＞
なお、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０３２１】
以下では、本開示の変形例の一例として「５−１．第１の変形例」および「５−２．第２の変形例」について説明する。
【０３２２】
［５−１．第１の変形例］
（５−１−１．第１の変形例による画像処理システムの基本構成）
図５３は、第１の変形例による画像処理システムの基本構成について示した説明図である。図５３に示したように、第１の変形例による画像処理システムは、通信端末８０、撮影端末３０、通信網１２、および撮影可否管理サーバ２０を含む。
【０３２３】
（通信端末８０）
通信端末８０は、撮影対象者が所持する通信端末である。この通信端末８０は、測位機能、可視光通信機能、無線通信機能、画面表示機能、撮影機能、時計機能、加速度センサ、ジャイロスコープ、気圧センサ、地磁気センサなどを有する。なお、測位機能は、通信端末１０が有する測位機能と同様であってもよい。また、可視光の送信装置には、例えばＬＥＤ（Ｌｉｇｈｔ  Ｅｍｉｔｔｉｎｇ  Ｄｉｏｄｅ）、ＥＬ（Ｅｌｅｃｔｒｏ  Ｌｕｍｉｎｅｓｃｅｎｃｅ）、またはレーザーなどが用いられてもよい。また、可視光の受信装置には、例えばフォトダイオードやイメージセンサなどが用いられてもよい。
【０３２４】
なお、図５３では、通信端末８０として眼鏡型コンピュータを記載しているが、かかる例に限定されない。例えば、通信端末８０は、スマートフォンなどの携帯電話、タブレット端末、ＰＤＡ、ラップトップ型ＰＣ、デジタルスチルカメラ、デジタルビデオカメラ、またはゲーム機などであってもよい。
【０３２５】
（撮影端末３０）
第１の変形例による撮影端末３０は、第１の実施形態〜第１１の実施形態による撮影端末３０と概略同様である。ただし、第１の変形例による撮影端末３０は、可視光通信機能を必ず有している点が、第１の実施形態〜第１１の実施形態と比較して相違する。なお、可視光の送信装置には、例えばＬＥＤ、ＥＬ、またはレーザーなどが用いられてもよい。また、可視光の受信装置には、例えばフォトダイオードやイメージセンサなどが用いられてもよい。
【０３２６】
なお、通信網１２および撮影可否管理サーバ２０については、第１の実施形態〜第１１の実施形態と概略同様である。従って、ここでは説明を省略する。
【０３２７】
（５−１−３．第１の変形例の概要）
以上、第１の変形例による画像処理システムの基本構成について説明した。続いて、上述した画像処理システムから構成される第１の変形例の概要について説明する。
【０３２８】
図５４は、第１の変形例による概略的な動作を示した説明図である。図５４に示したように、まず、通信端末８０は、通信端末８０の所持者により設定された保護処理条件に基づいて、周囲に対して発光する（Ｓ５１）。例えば、通信端末８０の所持者により設定された、撮影不可の条件に合致する場合には、通信端末８０は、予め定められた「撮影不可」を示す点滅パターンにより発光を行う。
【０３２９】
続いて、撮影端末３０は、通信端末８０により発せられた可視光を受信し、可視光に含まれる情報を解読する。そして、撮影端末３０は、可視光から解読された情報に基づいて、撮影画像に含まれる人物画像に対して、例えばマスク処理などの保護処理を行う（Ｓ５３）。
【０３３０】
第１の変形例では上述した動作が実現されるので、通信端末８０の所持者は、自己の意思に沿った保護処理条件を設定することにより、プライバシー保護の要求を撮影画像に反映させることができる。
【０３３１】
（５−１−３．第１の変形例による構成）
（５−１−３−１．通信端末８０）
続いて、第１の変形例による構成について説明する。図５５は、第１の変形例による通信端末８０の構成を示した機能ブロック図である。図５５に示したように、第１の変形例による通信端末８０は、位置情報取得部８００、センサ情報取得部８０２、環境状態認識部８０４、操作部８０６、条件設定部８０８、通信部８１０、表示部８１２、および発光部８１４を有する。
【０３３２】
発光部８１４は、撮影可否管理サーバ２０から受信される人物画像の保護処理を行うか否かを指示する情報に基づいて、発光する。例えば、発光部８１４は、当該人物画像の保護処理を行うか否かを指示する情報の内容に応じて、点滅パターンを変化させて発光してもよい。
【０３３３】
なお、位置情報取得部８００、センサ情報取得部８０２、環境状態認識部８０４、操作部８０６、条件設定部８０８、通信部８１０、および表示部８１２の機能は、それぞれ第１の実施形態の通信端末１０による位置情報取得部１００、センサ情報取得部１０２、環境状態認識部１０４、操作部１０６、条件設定部１０８、通信部１１０、および表示部１１２と同様である。
【０３３４】
（５−１−３−２．撮影可否管理サーバ２０）
第１の変形例による撮影可否管理サーバ２０の構成は、第１の実施形態と同様である。従って、ここでは説明を省略する。
【０３３５】
（５−１−３−３．撮影端末３０）
図５６は、第１の変形例による撮影端末３０の構成を示した機能ブロック図である。図５５に示したように、第１の変形例による撮影端末３０は、第１の実施形態と比較して、位置情報取得部３０２、撮影対象者位置取得部３０４、方位取得部３０６、撮影対象者距離取得部３０８、通信部３１０、および判断部３１２を含まない代わりに、可視光通信デコード部３２２を新たに含む。
【０３３６】
可視光通信デコード部３２２は、撮像部３００により受信された可視光から、可視光に含まれる情報を解読する。例えば、可視光通信デコード部３２２は、撮像部３００により受信された可視光の点滅パターンに基づいて、可視光に含まれる情報を解読してもよい。
【０３３７】
なお、その他の構成要素の機能は、第１の実施形態と同様である。
【０３３８】
（５−１−４．第１の変形例による動作）
以上、第１の変形例による構成について説明した。続いて、第１の変形例による動作について説明する。図５７は、第１の変形例による動作を示す第１のシーケンス図である。
【０３３９】
図５７に示したように、Ｓ１２０１〜Ｓ１２１３の動作については、第１の実施形態によるＳ１０１〜Ｓ１１３の動作と比較して、通信端末８０と通信端末１０との違いはあるが、概略同様である。
【０３４０】
以後、Ｓ１２１３より後の動作について説明する。Ｓ１２１３の後、撮影可否管理サーバ２０の条件判断部２０８は、撮影可否条件記憶部２０６に記憶された保護処理条件を、位置・環境状態記憶部２０２に記憶された環境状態が満たすか否かを判断する。そして、条件判断部２０８は、上記の判断の結果に応じて撮影画像に含まれる人物画像の保護処理を行うか否かを判断する（Ｓ１２１５）。より具体的には、条件判断部２０８は、上記の判断の結果に応じて、通信端末８０の所持者に対する撮影の可否を判断する。
【０３４１】
続いて、通信部２００は、人物画像の保護処理を行うか否かを指示する情報を通信端末８０へ送信する（Ｓ１２１７）。
【０３４２】
ここで、図５８を参照して、Ｓ１２１７より後の動作について説明する。図５８は、第１の変形例によるＳ１２１７より後の動作を示すシーケンス図である。
【０３４３】
続いて、Ｓ１２３と同様にして、撮影端末３０の操作部３２０に対する撮影者の操作により、撮影モードが起動される（Ｓ１２３１）。
【０３４４】
また、Ｓ１２１７の動作後、通信端末８０の発光部８１４は、撮影可否管理サーバ２０から受信された、人物画像の保護処理を行うか否かを指示する情報に基づいて、発光を行う（Ｓ１２３３〜Ｓ１２３５）。例えば、人物画像の保護処理を行うことを指示する情報が受信された場合は（Ｓ１２３３：Ｎｏ）、発光部８１４は、発光を行う（Ｓ１２３５）。
【０３４５】
Ｓ１２３５の後、撮影端末３０の撮像部３００は、通信端末８０により発せられた可視光を受信する。そして、可視光通信デコード部３２２は、撮像部３００により受信された可視光に含まれる情報を解読する（Ｓ１２３７）。
【０３４６】
Ｓ１２３７の後、もしくは通信端末８０から可視光が発せられない場合は（Ｓ１２３３：Ｙｅｓ）、撮影端末３０は、Ｓ１３９と同様にして、撮影処理を行う（Ｓ１２３９）。なお、通信端末８０から可視光が発せられた場合は、撮影端末３０は、Ｓ１２３７で解読された情報に基づいて、撮影処理を行う。
【０３４７】
（５−１−５．第１の変形例による効果）
以上説明したように、第１の変形例によれば、撮影端末３０は、通信端末８０により発せられた可視光を受信し、可視光に含まれる情報を解読し、そして、解読された情報に基づいて、撮影画像に含まれる人物画像に対して、例えばマスク処理などの保護処理を行う。このため、通信端末８０の所持者は、プライバシー保護の要求を撮影画像に反映させることができる。
【０３４８】
また、通信端末８０は、可視光通信により撮影端末３０に対して保護処理の要求を送信する。このため、例えば地下のような電波が届きにくい環境や、通信網１２が混雑している状況であっても、通信端末８０の所持者は、保護処理の要求を支障なく送信することができる。
【０３４９】
［５−２．第２の変形例］
以上、本開示の第１の変形例について説明した。上述したように、第１の変形例では、保護処理条件を通信端末８０の環境状態が満たすか否かを、撮影可否管理サーバ２０が判断する。次に説明するように、第２の変形例によれば、保護処理条件を通信端末８０の環境状態が満たすか否かを、通信端末８０が判断する。
【０３５０】
（５−２−１．第２の変形例による画像処理システムの基本構成）
第２の変形例による画像処理システムは、第１の変形例と比較して、撮影可否管理サーバ２０を含まない点が相違する。
【０３５１】
（５−２−２．第２の変形例による構成）
続いて、第２の変形例による構成について説明する。図５９は、第２の変形例による通信端末８０の構成を示した機能ブロック図である。図５９に示したように、第２の変形例による通信端末８０は、第１の変形例と比較して、環境状態認識部８０４および通信部８１０を含まない代わりに、条件判断部８１６を新たに含む。なお、その他の構成要素の機能は、第１の変形例と概略同様である。
【０３５２】
条件判断部８１６は、位置情報取得部８００により取得される位置情報、およびセンサ情報取得部８０２により取得されるセンサ情報に基づいて、通信端末８０の現在の環境状態を判定する。また、条件判断部８１６は、判定した環境状態が、条件設定部８０８により設定される保護処理条件を満たすか否かを判断し、判断した結果に応じて発光部８１４に発光させる。
【０３５３】
また、第２の変形例による発光部８１４は、条件判断部８１６により判断された結果に応じて、発光する。なお、その他の構成要素の機能は、第１の変形例と概略同様である。
【０３５４】
また、撮影端末３０の構成については、第１の変形例と同様である。従って、ここでは説明を省略する。
【０３５５】
（５−２−３．第２の変形例による動作）
以上、第２の変形例による構成について説明した。続いて、第２の変形例による動作について説明する。図６０は、第２の変形例による動作を示すシーケンス図である。なお、Ｓ１３０１〜Ｓ１３０５の動作については、第２の実施形態によるＳ２０１〜Ｓ２０５の動作と比較して、通信端末８０と通信端末１０との違いはあるが、概略同様である。また、Ｓ１３０７の動作は、第１の変形例によるＳ１２３１の動作と同様である。
【０３５６】
以後、Ｓ１３０７より後の動作について説明する。Ｓ１３０７の後、通信端末８０の発光部８１４は、条件判断部８１６により判断された、人物画像の保護処理を行うか否かの判断の結果に基づいて、発光を行う（Ｓ１３０９〜Ｓ１３１１）。例えば、人物画像の保護処理を行うことが条件判断部８１６により判断された場合は（Ｓ１３０９：Ｎｏ）、発光部８１４は、発光を行う（Ｓ１３１１）。
【０３５７】
なお、Ｓ１３１１より後の動作（Ｓ１３１３〜Ｓ１３１５）に関しては、第１の変形例によるＳ１２３７〜Ｓ１２３９の動作と概略同様である。従って、ここでは説明を省略する。
【０３５８】
（５−２−４．第２の変形例による効果）
以上説明したように、第２の変形例によれば、通信端末８０は、通信端末８０に対して設定される保護処理条件を、通信端末８０が取得する環境状態が満たすか否かを判断し、この判断の結果に基づいて、発光を行う。このため、第２の変形例では、撮影可否管理サーバ２０が設置されなくても、第１の変形例と同様の効果を得ることができるという利点がある。
【０３５９】
なお、以下のような構成も本開示の技術的範囲に属する。
（１）
撮影画像に含まれる人物画像に対応する撮影対象者の位置情報を取得する撮影対象者位置取得部と、
前記撮影対象者の位置情報を、通信端末から送信される前記通信端末の位置情報と前記撮影対象者の位置情報とを比較する情報処理装置に送信する送信部と、
前記情報処理装置から受信される前記比較の結果に応じた情報に基づいて、前記人物画像の保護処理を行うか否かを判断する判断部と、
を備える、画像処理装置。
（２）
前記通信端末は、前記撮影対象者が所持する通信端末である、前記（１）に記載の画像処理装置。
（３）
前記比較の結果に応じた情報は、前記人物画像の保護処理を行うか否かを指示する情報を含み、
前記判断部は、前記人物画像の保護処理を行うことを指示する情報が含まれる場合に、前記人物画像の保護処理を行うことを判断する、前記（１）または（２）に記載の画像処理装置。
（４）
前記画像処理装置は、前記人物画像の保護処理として前記人物画像に対してマスク処理を施すマスク部をさらに備える、前記（１）〜（３）のいずれか一項に記載の画像処理装置。
（５）
前記撮影対象者位置取得部は、前記画像処理装置の位置情報に基づいて前記撮影対象者の位置情報を取得する、前記（１）〜（４）のいずれか一項に記載の画像処理装置。
（６）
前記情報処理装置は、前記人物画像の解像度に基づいて前記人物画像に対する保護処理の要否を判断する、前記（１）〜（５）のいずれか一項に記載の画像処理装置。
（７）
前記撮影画像は、前記画像処理装置による撮影前の画像情報である、前記（１）〜（６）のいずれか一項に記載の画像処理装置。
（８）
前記撮影画像は、前記画像処理装置による撮影後の画像情報である、前記（１）〜（６）のいずれか一項に記載の画像処理装置。
（９）
通信端末から受信される前記通信端末の位置情報を記憶する記憶部と、
画像処理装置から撮影画像に含まれる人物画像に対応する撮影対象者の位置情報を受信する受信部と、
前記記憶部に記憶された前記通信端末の位置情報と、前記撮影対象者の位置情報とを比較する比較部と、
前記比較部による前記比較の結果に応じて前記人物画像の保護処理を行うか否かを指示する情報を前記画像処理装置に送信する送信部と、
を備える、情報処理装置。
（１０）
前記情報処理装置は、前記人物画像の保護処理に関する条件である保護処理条件を前記通信端末の環境状態が満たすか否かを判断する条件判断部をさらに備え、
前記送信部は、前記比較部による前記比較の結果および前記条件判断部による前記判断の結果に応じて前記人物画像の保護処理を行うか否かを指示する情報を前記画像処理装置に送信する、前記（９）に記載の情報処理装置。
（１１）
前記環境状態は、前記通信端末により観測されるか、または前記通信端末により外部の装置から取得される、前記（１０）に記載の情報処理装置。
（１２）
前記保護処理条件は、前記人物画像の保護処理を行う日時に関する条件である、前記（１０）または（１１）に記載の情報処理装置。
（１３）
前記保護処理条件は、ソーシャル・ネットワーキング・サービスにおける前記画像処理装置の使用者と前記通信端末の所持者との関係性に関する登録内容に関する条件である、前記（１０）または（１１）に記載の情報処理装置。
（１４）
前記受信部は、前記保護処理条件を前記通信端末からさらに受信する、前記（１０）〜（１３）のいずれか一項に記載の情報処理装置。
（１５）
位置情報を取得する位置情報取得部と、
前記位置情報取得部により取得された位置情報を情報処理装置へ送信する送信部と、
を備える、通信端末と、
前記通信端末から受信される前記通信端末の位置情報を記憶する記憶部と、
画像処理装置から撮影画像に含まれる人物画像に対応する撮影対象者の位置情報を受信する受信部と、
前記記憶部に記憶された前記通信端末の位置情報と、前記撮影対象者の位置情報とを比較する比較部と、
前記比較部による前記比較の結果に応じて前記人物画像の保護処理を行うか否かを指示する情報を前記画像処理装置に送信する送信部と、
を備える、情報処理装置と、
前記撮影対象者の位置情報を取得する撮影対象者位置取得部と、
前記撮影対象者の位置情報を前記情報処理装置に送信する送信部と、
前記情報処理装置から受信される前記比較の結果に応じた情報に基づいて、前記人物画像の保護処理を行うか否かを判断する判断部と、
を備える、画像処理装置と、
を備える、画像処理システム。
（１６）
撮影画像に含まれる人物画像に対応する撮影対象者の位置情報を取得するステップと、
前記撮影対象者の位置情報を、通信端末から送信される前記通信端末の位置情報と前記撮影対象者の位置情報とを比較する情報処理装置に送信するステップと、
前記情報処理装置から受信される前記比較の結果に応じた情報に基づいて、前記人物画像の保護処理を行うか否かを判断するステップと、
を備える、画像処理方法。
（１７）
通信端末から受信される前記通信端末の位置情報を記憶するステップと、
画像処理装置から撮影画像に含まれる人物画像に対応する撮影対象者の位置情報を受信するステップと、
記憶された前記通信端末の位置情報と、前記撮影対象者の位置情報とを比較するステップと、
前記比較の結果に応じて前記人物画像の保護処理を行うか否かを指示する情報を前記画像処理装置に送信するステップと、
を備える、情報処理方法。
（１８）
コンピュータを、
撮影画像に含まれる人物画像に対応する撮影対象者の位置情報を取得する撮影対象者位置取得部と、
前記撮影対象者の位置情報を、通信端末から送信される前記通信端末の位置情報と前記撮影対象者の位置情報とを比較する情報処理装置に送信する送信部と、
前記情報処理装置から受信される前記比較の結果に応じた情報に基づいて、前記人物画像の保護処理を行うか否かを判断する判断部、
として機能させるための、プログラム。
（１９）
コンピュータを、
通信端末から受信される前記通信端末の位置情報を記憶する記憶部と、
画像処理装置から撮影画像に含まれる人物画像に対応する撮影対象者の位置情報を受信する受信部と、
前記記憶部に記憶された前記通信端末の位置情報と、前記撮影対象者の位置情報とを比較する比較部と、
前記比較部による前記比較の結果に応じて前記人物画像の保護処理を行うか否かを指示する情報を前記画像処理装置に送信する送信部、
として機能させるための、プログラム。
【符号の説明】
【０３６０】
１０  通信端末
２０  撮影可否管理サーバ
３０  撮影端末
４０  予定表管理サーバ
５０  ＳＮＳサーバ
６０  位置共有サーバ
７０  第２の通信端末
８０  通信端末
１００  位置情報取得部
１０２  センサ情報取得部
１０４  環境状態認識部
１０６  操作部
１０８  条件設定部
１１０  通信部
１１２  表示部
１１４  条件判断部
２００  通信部
２０２  位置・環境状態記憶部
２０４  比較部
２０６  撮影可否条件記憶部
２０８  条件判断部
２１０  位置・撮影可否記憶部
２１２  画像ＩＤ記憶部
２１４  画像ＩＤ比較部
２５０  ＣＰＵ
２５２  ＲＯＭ
２５４  ＲＡＭ
２５６  内部バス
２５８  インターフェース
２６０  ストレージ装置
２６２  通信装置
３００  撮像部
３０２  位置情報取得部
３０４  撮影対象者位置取得部
３０６  方位取得部
３０８  撮影対象者距離取得部
３１０  通信部
３１２  判断部
３１４  マスク部
３１６  記憶部
３１８  表示部
３２０  操作部
３２２  可視光通信デコード部
８００  位置情報取得部
８０２  センサ情報取得部
８０４  環境状態認識部
８０６  操作部
８０８  条件設定部
８１０  通信部
８１２  表示部
８１４  発光部
８１６  条件判断部
【図１】
2014078910.tif 000005
【図２】
2014078910.tif 000006
【図３】
2014078910.tif 000007
【図４】
2014078910.tif 000008
【図５】
2014078910.tif 000009
【図６】
2014078910.tif 000010
【図７】
2014078910.tif 000011
【図８】
2014078910.tif 000012
【図９】
2014078910.tif 000013
【図１０】
2014078910.tif 000014
【図１１】
2014078910.tif 000015
【図１２】
2014078910.tif 000016
【図１３】
2014078910.tif 000017
【図１４】
2014078910.tif 000018
【図１５】
2014078910.tif 000019
【図１６】
2014078910.tif 000020
【図１７】
2014078910.tif 000021
【図１８】
2014078910.tif 000022
【図１９】
2014078910.tif 000023
【図２０】
2014078910.tif 000024
【図２１】
2014078910.tif 000025
【図２２】
2014078910.tif 000026
【図２３】
2014078910.tif 000027
【図２４】
2014078910.tif 000028
【図２５】
2014078910.tif 000029
【図２６】
2014078910.tif 000030
【図２７】
2014078910.tif 000031
【図２８】
2014078910.tif 000032
【図２９】
2014078910.tif 000033
【図３０】
2014078910.tif 000034
【図３１】
2014078910.tif 000035
【図３２】
2014078910.tif 000036
【図３３】
2014078910.tif 000037
【図３４】
2014078910.tif 000038
【図３５】
2014078910.tif 000039
【図３６】
2014078910.tif 000040
【図３７】
2014078910.tif 000041
【図３８】
2014078910.tif 000042
【図３９】
2014078910.tif 000043
【図４０】
2014078910.tif 000044
【図４１】
2014078910.tif 000045
【図４２】
2014078910.tif 000046
【図４３】
2014078910.tif 000047
【図４４】
2014078910.tif 000048
【図４５】
2014078910.tif 000049
【図４６】
2014078910.tif 000050
【図４７】
2014078910.tif 000051
【図４８】
2014078910.tif 000052
【図４９】
2014078910.tif 000053
【図５０】
2014078910.tif 000054
【図５１】
2014078910.tif 000055
【図５２】
2014078910.tif 000056
【図５３】
2014078910.tif 000057
【図５４】
2014078910.tif 000058
【図５５】
2014078910.tif 000059
【図５６】
2014078910.tif 000060
【図５７】
2014078910.tif 000061
【図５８】
2014078910.tif 000062
【図５９】
2014078910.tif 000063
【図６０】
2014078910.tif 000064